(57)【要約】【課題】いろいろな場所にフレキシブルな表示装置を複数提供し、フレキシブルな表示装置を複数用いた省電力システムを提供する。【解決手段】表示装置において曲げられる部分の構造を改良する。具体的には部分的に金属ナノ粒子を用いる配線を用いる。絶縁層１３に開口を形成し、断面において蛇行させて配線が実質的に長くなるようにしている。また、開口を複数設けて開口の位置を並べると、並べたラインに沿って曲がりやすくなる箇所が形成できる。また、一つの表示部を複数のパネルで構成する。また、椅子や、ソファなどの家具の表面、具体的には曲面にフレキシブルな表示部を設けることができる。【選択図】図１
2017138570.tif 000002
【特許請求の範囲】
【請求項１】
フィルム上に配線と、
前記配線上に絶縁層と、
前記絶縁層上に粘弾性を有する高分子材料層とを有し、
前記絶縁層は開口を有し、
前記開口と重なる配線の上面及び側面は、金属ナノ粒子を含む導電層と接し、
前記導電層は、前記高分子材料層と接している表示装置。
【請求項２】
フィルム上に配線と、
前記配線上に絶縁層と、
前記絶縁層上に粘弾性を有する高分子材料層とを有し、
前記絶縁層は開口を有し、
前記開口と重なる配線の上面及び側面は、前記高分子材料層と接している表示装置。
【請求項３】
請求項１または請求項２において、前記配線は、フィルム上のトランジスタと電気的に接続し、
前記トランジスタは、酸化物半導体を有する表示装置。
【請求項４】
請求項１または請求項２において、前記配線は、フィルム上のトランジスタと電気的に接続し、
前記トランジスタは、１４族の元素を含む半導体を有する表示装置。
【請求項５】
請求項１または請求項２において、前記配線は、フィルム上のトランジスタと電気的に接続し、
前記トランジスタは、１μｍ未満の結晶粒サイズを有するダイヤモンドの集合体からなる半導体を有する表示装置。
【請求項６】
請求項１乃至５のいずれか一において、前記フィルムは、衝撃吸収材からなる部材に固定されている電子機器。
【請求項７】
請求項１乃至６のいずれか一において、前記フィルムの一部は、曲面に固定されている電子機器。
【請求項８】
請求項１乃至７のいずれか一において、前記絶縁層の開口の部分で前記フィルムが曲げられ、曲げた状態で加熱された電子機器。
【請求項９】
請求項１乃至８のいずれか一において、前記フィルムは、椅子の背もたれ部または着座部に固定された電子機器。
【請求項１０】
フィルムを有する表示パネルを複数有し、
複数の表示パネルが一方向に並べられて一つの表示画面を構成し、
隣り合う表示パネルのフィルムは一部重なり、
前記フィルムの重なる部分は、曲面を有する電子機器。
【請求項１１】
請求項１０において、前記フィルムは、衝撃吸収材からなる部材に固定されている電子機器。
【請求項１２】
請求項１０または請求項１１において、前記フィルム上に配線と、前記配線上に絶縁層と、前記絶縁層上に粘弾性を有する高分子材料層とを有し、前記絶縁層は開口を有し、前記開口と重なる配線の上面及び側面は、金属ナノ粒子を含む導電層と接し、前記導電層は、前記高分子材料層と接している電子機器。
【請求項１３】
請求項１０乃至１２のいずれか一において、前記フィルムは、椅子の背もたれ部または着座部に固定された電子機器。
【請求項１４】
照明の光量を制御する機能を有する照明装置と、
表示データを送信する機能を有する第１の表示装置と、
前記第１の表示装置の表示部からの発光と、照明の発光とを少なくとも含む光量を取得するセンサ部を有する第２の表示装置と、
前記第２の表示装置は、第１の表示装置の表示部よりも表示面積が小さい表示部を有し、
第１の表示装置で表示された表示データを取得する取得部と、
取得された表示データの情報に基づき、第１の表示装置の表示部の劣化を予測する予測部と、
前記センサ部で取得された光量データに基づき、第１の表示装置の表示部の劣化を緩和させる表示データを作成する表示データ作成部と、
作成した表示データを出力する表示装置を選択し、前記照明装置の光量を決定する制御部と、
作成された表示データを選択した表示装置に送信し、決定された光量にするための信号を照明装置に送信する送信部と、
前記取得部と、前記予測部と、前記表示データ作成部と、前記制御部と、前記送信部との少なくともいずれか一は、クラウドコンピューティングシステムに配置される機能オブジェクトである複数の表示装置を有するシステム。
【請求項１５】
請求項１４において、前記第２の表示装置は、前記センサ部を有する携帯情報端末であるシステム。
【請求項１６】
請求項１４または請求項１５において、前記第２の表示装置の表示部の面積は、第１の表示装置の表示部の面積よりも小さいシステム。
【請求項１７】
請求項１４乃至１６のいずれか一において、前記第２の表示装置は、家具に接して設けられているシステム。
【発明の詳細な説明】
【技術分野】
【０００１】
表示装置及びその作製方法及び表示装置を用いた屋内の環境管理システムに関する。
【０００２】
なお、本発明の一態様は、上記の技術分野に限定されない。本明細書などで開示する発明の一態様の技術分野は、物、方法、製造方法、またはシステムに関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、液晶表示装置、発光装置、照明装置、蓄電装置、記憶装置、撮像装置、それらの動作方法、または、それらの製造方法、またはそれらのシステムを一例として挙げることができる。
【０００３】
なお、本明細書などにおいて半導体装置とは、半導体特性を利用することで機能しうる装置全般を指す。トランジスタ、半導体回路は半導体装置の一態様である。また、記憶装置、表示装置、撮像装置、電子機器は、半導体装置を有する場合がある。
【背景技術】
【０００４】
液晶表示装置や電子ペーパーなどの表示装置が普及し、多くの人々が携帯して表示装置を色々な目的で使用している。
【０００５】
また、屋内においてもテレビの薄型化が進み、壁掛けのできる表示サイズであれば、高精細な表示を家庭で視聴することができるようになっている。
【０００６】
これらの表示装置は、表示部にガラス基板を用いていることが多く、破損する恐れがあった。特許文献１には、破損しにくい表示装置、電子機器、または照明装置として、可撓性を有する基板（ポリエチレンテレフタレート樹脂、ポリイミド樹脂など）を用いた表示装置を作製し、さらにその基板に接して、その基板よりもやわらかい材料、具体的にはヤング率が小さい材料（シリコーンゴム、フッ素ゴムなど）で形成された基板を設ける構成が開示されている。
【先行技術文献】
【特許文献】
【０００７】
【特許文献１】特開２０１５−６２０６０
【発明の概要】
【発明が解決しようとする課題】
【０００８】
使用者が携帯する表示装置としては、小型であり、軽量であることが望まれるため、ガラス基板を用いる表示装置ではなく、プラスチックフィルムを用いることが望まれる。プラスチックフィルムを用いれば、ガラス基板のように割れることも軽減される。
【０００９】
また、タッチ入力が可能であることも使用者にとって望まれるため、手の指や肌が触れても違和感のない表面を有する表示装置であることが好ましい。
【００１０】
しかしながら、表示装置にプラスチックフィルムを用いる場合、表示部の表面が傷つきやすい欠点を有している。また、ガラス基板を用いる場合と比較して、プラスチックフィルムは、水分などのブロック性が低いため、表示装置の信頼性が低下する欠点を有している。
【００１１】
また、プラスチックフィルムを用いる表示装置の応用として、曲面を有する表示部とすることもできる。
【００１２】
使用者が携帯する表示装置としては、小型であり、軽量なものが望まれるため、材料がガラス基板であるか、プラスチックフィルムであるか、を問わず表示面積が小さくなってしまう。消費電力においても小型であるほうが表示に関係する電力が小さくできる。しかし、使用者がタッチ入力や、視聴する上では表示面積が大きいことが望まれる。これらのことを勘案すると、一つのデバイスで使用者が求める上記二つの要望を満たすことは困難である。
【００１３】
そこで、本明細書では、いろいろな場所、例えば曲面、凸部、凹部、エッジ部などに配置可能な信頼性の高いフレキシブルな表示装置を提供し、同期させることのできる複数の電子機器を自由な位置に配置させることを課題とする。
【００１４】
また、物品の任意の場所にフレキシブルな表示装置が配置され、フレキシブルな表示装置を有する物品も提供することを課題とする。例えば、その物品とは、椅子、ソファ、ベッド、タンスなどの家具、または室内装飾品、台所用品などである。
【００１５】
また、新規なデバイスを提供することを課題の一つとする。
【００１６】
また、製造コストを低減することも課題の一つとする。表示パネルの設計にあたり、表示エリアのサイズに合わせて設計する場合、そのサイズの製造マスク（例えばフォトマスク）を用意し、マスク費用が高価なものとなってしまう。コストを低減するため、大面積基板を用い、一枚の基板に複数の表示パネルを作製することが一般的になされている。しかし、表示パネルのエリアごとに作製する場合、表示エリアのサイズが少しでも違うと、別のマスクを用意することとなってしまう。
【００１７】
また、物品の任意の場所にフレキシブルな表示装置が配置され、フレキシブルな表示装置を有する物品が屋内に設置されると、例えば、一つの部屋に表示サイズの異なる複数の表示装置が存在することとなる。一人の使用者が複数のデバイスをトータルの電力を考慮して管理することは困難であり、個人または一つの家庭で保有される複数の表示装置に使用される電力を効率よく制御する管理システムが望まれる。また、一つの部屋の明るさは複数の照明や、テレビからの光や、窓からの光によって左右されるため、明るさなどの屋内環境を管理するシステムが望まれている。特にテレビの輝度性能が向上し、テレビの表示画面自身が部屋の照明となりうるため、屋内の照明の輝度などとのバランスや、テレビの配置（照明器具との位置関係や窓との位置関係）によって必要のない電力消費が生じる問題がある。
【００１８】
テレビの画質調整機能は標準的に備えられ、使用者が自由に設定可能にしてあるが、高性能のテレビは画質調整が複雑であり、使用者のほとんどは、テレビメーカーが予め用意してあるモード（映画などの高画質モード、省電力モードなど）を選択するだけにとどまっている。従って、今後もテレビがさらに高画質化しても、使用者が見る環境や好みに合わせてテレビの最適な表示ができているとは言いにくい。
【課題を解決するための手段】
【００１９】
曲げることのできる電子機器または曲げられた状態で固定された電子機器の構成において、少なくとも外力が加えられることによって曲げられる部分には樹脂を含む配線、または金属ナノ粒子を含む配線を用いる。これらの配線は、印刷法、液滴吐出法（インクジェット法など）を用いて形成する。
【００２０】
フレキシブルなフィルムを用いた表示パネルにおいて、曲げなどの変形により、クラックが形成されることが表示パネルの破壊につながる。クラックが形成される領域は、無機絶縁膜や、金属配線などの無機材料で形成されている領域である。有機材料膜に比べて無機絶縁膜や金属配線は伸縮性が小さいため、クラックが形成されやすい。
【００２１】
フレキシブルなフィルムを用いた表示パネルは、全体を均一な構成とすると、どこでも曲げられる表示装置となる。また、フレキシブルなフィルムを用いた表示パネルだけでは独立して形状を維持することが困難であるため、構造体によって保持する。例えば曲面を有する構造体に保持する場合は、曲面に沿ってフレキシブルなフィルムを用いた表示パネルも曲げられる。電子機器において、フレキシブルなフィルムを曲げた状態で固定される場合には、製造時に曲げられた後は固定される。また、電子機器において、使用者の操作により変形する部分を有する場合には、特定の部分のみが繰りかえし曲げられる。このような場所は、フィルム上の絶縁層に複数の開口を一方向に並べておけば並べた方向が折り目となり、曲げやすくすることができる。また、複数の開口には粘弾性を有する高分子材料層、例えば、シリコーン樹脂などで覆う構成とするとフィルムの保護にもなる。
【００２２】
本明細書で開示する発明の構成は、フィルム上に配線と、配線上に絶縁層と、絶縁層上に粘弾性を有する高分子材料層とを有し、絶縁層は開口を有し、開口と重なる配線の上面及び側面は、高分子材料層と接している表示装置である。
【００２３】
また、他の発明の構成は、フィルム上に部分的に金属ナノ粒子を用いる配線を形成する。部分的に金属ナノ粒子を用いる配線とすることで伸縮性を有する配線を実現する。金属ナノ粒子は、水素雰囲気中でアーク溶解することによって形成することができ、金属ナノ粒子に用いる金属は、Ｃｕ、Ａｇ、Ａｕ、Ｚｎ、Ａｌ、Ｍｇ、Ｓｃ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｐｄ、Ｐｔなどが挙げられる。また、これらの金属を組み合わせた合金も金属ナノ粒子にすることができる。
【００２４】
さらに、金属ナノ粒子を用いる配線の周囲は有機樹脂膜となるようにする。また、曲げる領域に配置される配線の一部を露出させた後、インクジェットなどの塗布法を用い、粘弾性を有する高分子材料層、例えば、シリコーン樹脂などで覆う構成としてもよい。
【００２５】
本明細書で開示する他の発明の構成は、フィルム上に配線と、配線上に絶縁層と、絶縁層上に粘弾性を有する高分子材料層とを有し、絶縁層は開口を有し、開口と重なる配線の上面及び側面は、金属ナノ粒子を含む導電層と接し、導電層は、高分子材料層と接している表示装置である。
【００２６】
また、下地の絶縁層に凹凸を持たせ、実質的な配線の長さを長くさせることが好ましい。表示パネルを大きく曲げた場合においても断線が生じないようにすることができる。
【００２７】
フレキシブルなフィルムを用いた表示パネルは、曲面に沿って配置することができる。急峻に曲がる箇所には、樹脂を含む配線、または金属ナノ粒子を含む配線を用いる。
【００２８】
フレキシブルなフィルムを用いた表示パネルは、絶縁層の開口の部分でフィルムが曲げられ、曲げた状態で加熱して金属ナノ粒子を含む配線を変形させてもよい。
【００２９】
また、上記各構成において、配線は、フィルム上に設けられたトランジスタと電気的に接続している構成としてアクティブマトリクス型の表示装置とする。トランジスタは、酸化物半導体、または１４族の元素を含む半導体を用いることができる。また、トランジスタは、１４族の元素を含む半導体の一種である１μｍ未満の結晶粒サイズを有するダイヤモンドの集合体からなる半導体を用いてもよい。
【００３０】
また、一つの表示部を複数のパネルで構成する。さらに、一つの表示部を構成する複数枚のパネルを曲面に沿って配置する。複数枚のパネルを利用することで製造コストを低減できる。２枚の表示パネルの一部を重ねることで表示エリアを２倍にすることができる。１枚の表示パネルを１単位として、２枚、４枚、６枚、９枚とそれぞれを重ね合わせることで１つの表示パネルを用意する。こうすることで共通の製造マスクを用いて、複数種類のエリアを有する表示パネルを作製できるため、コスト低減ができる。即ち、作製した表示パネルを無駄なく使用することが可能となる。また、プロセスもほぼ同じままで問題ないため、歩留まり向上にも貢献できる。従来では、一つ一つの製品ごとにそれぞれのマスクを製造し、それらを用いて作製していたが、共通のマスクのみでいろいろな製品の表示パネルを用意できる。
【００３１】
また、表示部として限定されず、照明としても機能する。照明として用いる場合は、パッシブ型の発光装置としてもよく、その場合にはフィルム上にトランジスタを設けない。
【００３２】
また、上記各構成において、フィルムは、衝撃吸収材からなる部材に固定する。
【００３３】
また、車両の一例である自動車の座席や、自動車のダッシュボードなどの移動体に装備される部品にフレキシブルな表示部を設けることができる。自動車の座席や、車のダッシュボードなどは、衝撃吸収材からなる部材を有している。具体的には、一つの表示部を複数の表示パネルで構成する。車種によって内部の部品サイズが異なるが、そのサイズに合わせて表示パネルの枚数を増減させて組み合わせればよい。共通の表示パネルを用いるため、表示部の製造コストを低減することができる。
【００３４】
また、椅子や、ソファなどの家具の表面、具体的には曲面にフレキシブルな表示部を設けることができる。例えば、上述したフィルムを椅子の背もたれ部または着座部に固定することで電子機器を実現する。椅子や、ソファなどは衝撃吸収材からなる部材を有している。椅子や、ソファなどは、使用者と接する部分があるため、その部分に表示部を設けることが困難であったが、本明細書に開示する表示部であれば、可能である。
【００３５】
また、他の発明の構成は、フィルムを有する表示パネルを複数有し、複数の表示パネルが一方向に並べられて一つの表示画面を構成し、隣り合う表示パネルのフィルムは一部重なり、フィルムの重なる部分は、曲面を有する電子機器である。
【００３６】
具体的には、一つの表示部を複数の表示パネルで構成する。表示パネルのフィルムは、椅子の背もたれ部または着座部に固定する。使用者と接触して押された場合に複数の表示パネルの隙間が広がり、一時的に表示画面が分割されるが、押し戻されて元の状態になった時には元通りとなる。即ち、椅子やソファの背もたれ部に表示部を配置して、使用者の背中に接触して押された場合には、つなぎ目部分で１つの表示部が２つの表示部に画面が分割されるが、背中が接しているため分割部分が隠れる。そして背中を表示部から離せば元通りになる。また、つなぎ目があることで外力を分散でき、表示部へのダメージを低減できる。
【００３７】
フレキシブルなフィルムを用いた表示パネルは、高画質の画面とすることも可能であるが、メリットとしては持ち運びができる点、省スペースで済む点、設置箇所を問わない点、落としてもガラスを用いていないので画面が割れない点、ガラス基板で作製されるパネルサイズを越える大画面を実現できる点で特徴を出すことができる。従って、個人がフレキシブルな表示パネルを所有する需要を考慮すると、サブディスプレイとしての用途が有望である。例えば、スマートフォンなどの情報端末と、そのスマートフォンから画像データを出力できるフレキシブルな表示パネルを利用すれば、スマートフォンよりも大画面のフレキシブルな表示パネルが活用できる。例えば、据え置きのテレビを所有せず、背もたれ部に表示部を有する椅子や、背もたれ部に表示部を有するソファを部屋に設置し、その表示部での視聴と、スマートフォンの画面での視聴で使い分けるといったことが考えられる。
【００３８】
また、据え置きのテレビを含む複数の表示装置や照明装置などが混在した屋内において、複数のデバイスを制御し、それらの環境を管理する管理システムを提供する。そのために、ネットに接続させ、クラウドコンピューティングシステム（以下、クラウドと呼ぶ）を利用する。複数の表示装置を所有することによりトータルの消費電力の増加は避けにくいが、クラウドを用いて複数の表示装置の使い分けを制御し、電力消費を分散させることで増加分を縮小することを目的としている。
【００３９】
クラウドはサーバコンピュータと、データベースを記憶した記憶装置とを少なくとも有する。サーバコンピュータは一つでも複数でもよい。データベースは一つのサーバコンピュータに記憶させていてもよいし、複数のサーバコンピュータに分けて記憶させていてもよい。
【００４０】
または、複数のデバイスをネットに接続させ、ｗｅｂを介したＡＰＩ（Ａｐｐｌｉｃａｔｉｏｎ  Ｐｒｏｇｒａｍ  Ｉｎｔｅｒｆａｃｅ）を利用する。ＡＰＩはオペレーティングシステムやミドルウェアが提供するプログラミングのためのインターフェースであり、インターフェース仕様を決めておくことでアプリケーション開発者がこれらの機能を利用できるようにしたものである。
【００４１】
表示装置の一つである据え置きテレビに光センサが設けられ、テレビの周囲の明るさを認識する製品もあるが、そのテレビが発する光を含めて測定する光センサが設置されないので、テレビ中心に画質調整が行われる。従ってテレビ以外のデバイスで屋内の明るさをセンシングして、テレビ画面からの発光を考慮して、使用者中心に画質調整が行われ、且つ、屋内の照明調整も行われることが好ましい。また、最適な表示に調節できても、停電などがあると設定が全て初期設定になってしまい、一からやり直しとなってしまうため、画質調整は、サーバコンピュータに記憶させておくことが好ましい。
【００４２】
また、高性能なテレビに高画質の表示をさせ続けると、画像によっては部分的に高い輝度を維持するため、その部分の画素が劣化し、部分的に表示品質が落ち、表示装置の寿命を短縮することに繋がる恐れがある。また、同じ画像を長時間表示すると液晶表示装置や有機ＥＬ表示装置において表示の焼き付き現象が生じる恐れがある。特に液晶表示装置よりも有機ＥＬ表示装置においては赤色発光素子、緑色発光素子、青色発光素子でそれぞれ発光材料が異なるため、発光色の材料ごとに寿命が異なり、局所的な画素の劣化は生じやすい。また、有機ＥＬ表示装置においては赤色発光素子、緑色発光素子、青色発光素子でそれぞれ発光面積が異なっている場合もある。そこで、テレビの表示部に表示される画像データを随時取得し、膨大なデータをサーバコンピュータに蓄積し、局所的な画素の劣化が生じないように画像データを作成（または加工）して表示する劣化防止モードを設けることで、表示部の品質を維持する。なお、画像データを作成するためにはＣＰＵなどを用いて画像データを作製する必要があるため、クラウドを利用する、またはｗｅｂを介したＡＰＩを利用する。例えば、ドラマの表示時には高画質モードとし、ドラマの間のコマーシャル画像表示時には劣化防止モードにする、或いはニュース番組の表示時には劣化防止モードとすると、高画質な表示を長期間にわたり維持することができる。劣化防止モード時の画像データはクラウドやｗｅｂを介したＡＰＩを利用して作製し、テレビに配信される。劣化防止モードの表示は、鑑賞者にとっては目を休憩する時間を設けるタイミングにすることができ、目の疲れを緩和できる。
【００４３】
また、屋内にテレビ以外の表示装置がある場合、テレビの表示部でドラマを鑑賞し、コマーシャル画像の時にテレビは劣化防止モードに切り替わり、その劣化防止モードの間のコマーシャル画像は他の表示装置（テレビよりも画面サイズの小さいスマートフォン、スマートウオッチなど）で表示させ、コマーシャルが終わってドラマに切り替われば、再度、テレビが表示モードに切り替わりドラマを鑑賞できるように制御するシステムとする。特に有機ＥＬ表示装置においては黒色表示の場合にその黒表示部分において発光素子がオフ状態となり、その部分での消費電力が削減される。また、スマートフォンでの表示はテレビに比べれば、小さい画面面積であるため、同じ画質であってもテレビで表示される電力よりもはるかに小さい。
【００４４】
また、バックライトにＬＥＤを用いて部分的に消光できる液晶表示装置（ローカルディミング方式）においては、黒表示部分においてＬＥＤ素子をオフ状態となり、その部分での消費電力が削減される。ただし、ローカルディミング方式以外の液晶表示装置においては、バックライトを使用しているため、全面黒表示においてバックライトをオフにすることで消費電力が削減される。このように表示装置には液晶表示装置や有機ＥＬ表示装置という大きな分類だけでなく、同じ分類の表示装置であっても製造メーカや製品によって様々な方式が存在し、それぞれ最適な表示方法や使用方法が異なっている。従って、使用者が保有する複数の表示装置のうち、屋内の使用環境や使用状況に合わせて、最適な表示方法や使用方法を選択し、最適な表示データを作製し、最適な表示部に出力することをクラウドコンピューティングシステムで制御することで使用者が行おうとする電力管理を補助する。
【００４５】
また、照明装置においても劣化があり、窓からの光量も画像表示に影響があるため、それらを含めて劣化防止モードの画像データを用意することが好ましい。
【００４６】
本明細書で開示する複数の表示装置を有するシステムは、照明の光量を制御する機能を有する照明装置と、表示データを送信する機能を有する第１の表示装置と、第１の表示装置の表示部からの発光と、照明の発光とを少なくとも含む光量を取得するセンサ部を有する第２の表示装置と、第２の表示装置は、第１の表示装置の表示部よりも表示面積が小さい表示部を有し、第１の表示装置で表示された表示データを取得する取得部と、取得された表示データの情報に基づき、第１の表示装置の表示部の劣化位置を予測する予測部と、センサ部で取得された光量データに基づき、第１の表示装置の表示部の劣化を緩和させる表示データを作成する表示データ作成部と、作成した表示データを出力する表示装置を選択し、照明装置の光量を決定する制御部と、作成された表示データを選択した表示装置に送信し、決定された光量にするための信号を照明装置に送信する送信部とを有し、取得部と、予測部と、表示データ作成部と、制御部と、送信部との少なくともいずれか一は、クラウドコンピューティングシステムに配置される機能オブジェクトである複数の表示装置を有するシステムである。
【００４７】
上記システムにおいて、第２の表示装置は、センサ部を有する携帯情報端末を用いてもよい。センサ部は、波長４００ｎｍ以上７００ｎｍ以下の可視光線領域に感度を持つものは特に可視光センサとも呼ばれる。センサ部は、光電変換素子、制御部及びＡＤ変換回路として機能する部分を有する。センサ部は、光を検知する機能を有している。制御部は、センサ部が光を検知するタイミングを制御する機能を有する。ＡＤ変換回路は、センサ部が検出した光に応じた電流又は電圧をアナログ値からデジタル値に変換する機能を有する。
【００４８】
上記システムにおいて、第２の表示装置の表示部の面積は、第１の表示装置の表示部の面積よりも小さく、第１の表示装置の表示を第２の表示装置の表示部に切り替え、操作を行うことで省電力化が図れる。
【００４９】
上記システムにおいて、第２の表示装置は、ソファや椅子などの家具に接して設けられている。ソファや椅子などの曲面を有する箇所にフレキシブルな表示装置を設け、さらにフレキシブルなフィルム上にセンサ部を設けることで、多方向の光量を検出することができ、その光量に基づいて第１の表示装置の表示データや照明の輝度調整をすることで快適な視聴環境を提供することもできる。
【発明の効果】
【００５０】
表示部にフレキシブルな部分を有する電子機器に対して外部からの力が加わり、表示部が変形してダメージを受けることを低減することができる。
【００５１】
新規な電子機器を実現できる。
【００５２】
また、電子機器の一つの表示部を同じフォトマスクを用いて作製された複数の表示パネルで構成することで製造コストを低減することができる。
【００５３】
また、据え置きのテレビを含む複数の表示装置や照明装置などが混在した屋内において、複数のデバイスを制御し、それらの環境をクラウドを利用して管理する管理システムを実現する。複数の表示装置を所有することによりトータルの消費電力の増加は避けにくいが、クラウドを用いて複数の表示装置の使い分けを制御し、電力消費を分散させることで増加分を縮小することができる。
【図面の簡単な説明】
【００５４】
【図１】本発明の一態様を示す断面図である。
【図２】本発明の一態様を示す断面図である。
【図３】本発明の一態様を示す上面図である。
【図４】本発明の一態様を示す断面図である。
【図５】本発明の一態様を示す断面図である。
【図６】本発明の一態様を示す斜視図および断面図である。
【図７】本発明の一態様を示す斜視図である。
【図８】電子機器の一例を説明する図である。
【図９】電子機器の一例を説明する図である。
【図１０】電子機器および照明装置の一例を説明する図である。
【図１１】本発明の一態様を示す斜視図及び断面図である。
【図１２】本発明の一態様を示すブロック図及び断面図である。
【図１３】本発明の一態様を示すブロック図である。
【図１４】本発明の例示的なステップを示すフローチャートである。
【図１５】本発明の一態様を示す半導体装置の作製工程断面図である。
【図１６】本発明の一態様を示す半導体装置の作製工程断面図である。
【発明を実施するための形態】
【００５５】
以下では、本発明の実施の形態について図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。
【００５６】
（実施の形態１）図１（Ａ）に簡略化した表示装置の断面構造図の一例を示す。なお、簡略化のため、表示素子である有機ＥＬ素子は図示していない。従来ではフィルム上の端子電極に接続されたＦＰＣを折り曲げて収納するが、本実施の形態ではフィルム１０を折り曲げる構成としており、収納するスペースが少ない筐体内に表示パネルを配置する場合に有効である。
【００５７】
図１（Ａ）において、表示装置は、フィルム１０上に、絶縁層１１と、配線１２と、絶縁層１３と、金属ナノ粒子を含む導電層１４と、封止層１５とを有している。なお、配線１６は、金属ナノ粒子を含む導電層１４を介して配線１２と電気的に接続されている。
【００５８】
表示装置の曲げる箇所において、曲げが急峻である場合や、繰り返し曲げが行われる場合には、その箇所における配線の一部が断線する恐れがある。
【００５９】
曲がる箇所においては、配線の一部を金属ナノ粒子を含む導電層１４を用いて構成する。図１（Ｂ）に曲げる箇所を曲げた状態の断面構造図を示す。図１（Ｂ）に示すように曲げた後に配線加熱処理を行って金属ナノ粒子を含む導電層１４を安定化させる。フィルム１０を曲げることによって、上方の構成物が引っ張られ、配線が伸ばされる方向に力が加わり断線することを緩和するため、絶縁層１３に開口を形成し、断面において蛇行させて配線が実質的に長くなるようにしている。また、開口を複数設けて開口の位置を並べると、並べたラインに沿って曲がりやすくなる箇所が形成できる。
【００６０】
絶縁層１１は、バリア層であり、酸化シリコン膜、窒化シリコン膜などの積層を用いる。有機ＥＬ素子への不純物混入を防ぐためのバリア層である。
【００６１】
また、絶縁層１３、封止層１５は有機樹脂材料で構成することが好ましい。封止層１５も有機ＥＬ素子への不純物混入を防ぐためのバリア層として機能する。
【００６２】
このような構成とすることで配線の断線を防止する。
【００６３】
また、図２（Ａ）は対向側にもフィルム１７を設けた例である。封止としてのフィルム１７だけでなく、光学フィルム（円偏光板、カラーフィルム）をさらに設けてもよい。また、タッチ入力パネルを設けてもよい。
【００６４】
図１（Ａ）では曲がる箇所の配線をエッチングで除去してから金属ナノ粒子を含む導電層１４で電気的な接続を行う例を示したが特に限定されず、図２（Ｂ）に示すように曲がる箇所の配線上に重ねて金属ナノ粒子を含む導電層１４を形成してもよい。
【００６５】
図２（Ｃ）は、さらに表示装置の曲がる箇所に柔軟性を持たせるため、ヤング率の小さい材料層１８を用いる。具体的には、シリコーンゴム、フッ素ゴムなどの粘弾性を有する高分子材料を用いる。
【００６６】
図１（Ｃ）は、表示装置と構造体２０の位置関係を示す断面図である。表示装置を厚さの薄い構造体２０に合わせて固定する例である。図１（Ｃ）に示すように表示装置自体が構造体２０に引っ掛ける構成となっている。図中の矢印２１が有機ＥＬ素子の発光される方向を指している。図１（Ｃ）では表示部が曲がっているのではなく、周縁部が曲げられている例を示している。また、構造体２０が椅子の背もたれ部である場合、使用者が背もたれ部に背中を押しつけたときに構造体２０も曲がるため、追随して表示部も緩やかに曲がる。
【００６７】
図３（Ａ）は表示パネル１６０の上面概略図である。鎖線Ｘ１−Ｘ２で切断した断面図が図１（Ａ）に相当する。
【００６８】
表示パネル１６０は、表示領域１０１と、表示領域１０１に隣接して、可視光を透過する領域１１０と、可視光を遮光する部分を有する領域１２０と、を備える。図３（Ａ）では、表示パネル１６０にＦＰＣ（Ｆｌｅｘｉｂｌｅ  Ｐｒｉｎｔｅｄ  Ｃｉｒｃｕｉｔ）１１２が設けられている例を示す。
【００６９】
表示領域１０１は、第１の領域１０２と、第２の領域１０３と、を有する。また表示領域１０１は、マトリクス状に配置された複数の画素を含み、画像を表示することが可能である。各画素には一つ以上の表示素子が設けられている。表示素子としては、代表的には有機ＥＬなどの発光素子、または液晶素子等を用いることができる。
【００７０】
領域１１０には、例えば表示パネル１６０を構成する一対の基板、及び当該一対の基板に挟持された表示素子を封止するための封止材などが設けられていてもよい。このとき、領域１１０に設けられる部材には、可視光に対して透光性を有する材料を用いる。
【００７１】
領域１２０には、例えば表示領域１０１に含まれる画素に電気的に接続する配線が設けられている。また、このような配線に加え、画素を駆動するための駆動回路（走査線駆動回路、信号線駆動回路等）や、保護回路等の回路が設けられていてもよい。また、領域１２０は、ＦＰＣ１１２と電気的に接続する端子（接続端子ともいう）や、当該端子と電気的に接続する配線等が設けられている領域も含む。
【００７２】
領域１２０の絶縁層に開口を設けて曲がりやすくする構成とする。図１（Ａ）に示した金属ナノ粒子を含む導電層１４は、領域１２０に配置される配線の一部に用いる。
【００７３】
図１（Ｃ）では１枚の表示パネル１６０を曲げる例を示したが、特に限定されず、複数の表示パネルを用いて一つの画面を構成し、構造体に曲げて配置してもよい。例えば、３枚の表示モジュールを用いる場合、図３（Ｂ）に上面概略図を示す。
【００７４】
なお、以降では各々の表示パネル同士、各々の表示パネルに含まれる構成要素同士、または各々の表示パネルに関連する構成要素同士を区別して説明する場合、これらの符号の後にアルファベットを付記する。また特に説明のない場合には、一部が互いに重ねて設けられた複数の表示パネルのうち、最も下側（表示面側とは反対側）に配置される表示パネル及びその構成要素等に対して「ａ」の符号を付記し、その上側に順に配置される一以上の表示パネル及びその構成要素等に対しては、符号の後にアルファベットをアルファベット順に付記することとする。また、特に説明のない限り、複数の表示パネルを備える構成を説明する場合であっても、各々の表示パネルまたは構成要素等に共通する事項を説明する場合には、アルファベットを省略して説明する。
【００７５】
図３（Ｂ）に示す表示装置は、表示パネル１６０ａ、表示パネル１６０ｂ、及び表示パネル１６０ｃを備える。また図３（Ｂ）には、表示領域１０１ａ、表示領域１０１ｂ、表示領域１０１ｃ、領域１１０ａ、領域１１０ｂ、領域１１０ｃ、領域１２０ａ、領域１２０ｂ、領域１２０ｃ、第１の領域１０２ａ、第１の領域１０２ｂ、第１の領域１０２ｃ、第２の領域１０３ａ、第２の領域１０３ｂ、ＦＰＣ１１２ｃ等を示している。
【００７６】
表示パネル１６０ｂは、その一部が表示パネル１６０ａの上側（表示面側）に重ねて配置されている。具体的には、表示パネル１６０ａの表示領域１０１ａ内の第２の領域１０３ａと、表示パネル１６０ｂの可視光を透過する領域１１０ｂとが互いに重畳し、且つ、表示パネル１６０ａの表示領域１０１ａと、表示パネル１６０ｂの可視光を遮光する領域１２０ｂとが互いに重畳しないように配置されている。
【００７７】
また、表示パネル１６０ｃは、その一部が表示パネル１６０ｂの上側（表示面側）に重ねて配置されている。具体的には、表示パネル１６０ｂの表示領域１０１ｂ内の第２の領域１０３ｂと、表示パネル１６０ｃの可視光を透過する領域１１０ｃとが互いに重畳し、且つ、表示パネル１６０ｂの表示領域１０１ｂと、表示パネル１６０ｃの可視光を遮光する領域１２０ｃとが互いに重畳しないように配置されている。
【００７８】
表示領域１０１ａの第２の領域１０３ａ上には、可視光を透過する領域１１０ｂが重畳するため、表示領域１０１ａの全体を表示面側から視認することが可能となる。同様に、表示領域１０１ｂの第２の領域１０３ｂも、領域１１０ｃが重畳するため、表示領域１０１ｂの全体を表示面側から視認することができる。したがって、表示領域１０１ａ、表示領域１０１ｂおよび表示領域１０１ｃが継ぎ目なく配置された領域を一つの表示領域とすることが可能となる。
【００７９】
ここで、図３（Ａ）に示す領域１１０の幅Ｗは、０．１ｍｍ以上２００ｍｍ以下、好ましくは０．５ｍｍ以上１５０ｍｍ以下、より好ましくは１ｍｍ以上１００ｍｍ以下、より好ましくは２ｍｍ以上５０ｍｍ以下とすることが好ましい。領域１１０は封止領域としての機能を有するため、領域１１０の幅Ｗが大きいほど表示パネル１６０の端面と表示領域１０１との距離を長くすることができ、外部から水などの不純物が表示領域１０１にまで侵入することを効果的に抑制することができる。
【００８０】
特に、本構成例では、表示領域１０１に隣接して領域１１０が設けられるため、領域１１０の幅Ｗを適切な値に設定することが重要である。例えば、表示素子として有機ＥＬ素子を用いた場合や、画素にトランジスタ（特に酸化物半導体を用いたトランジスタ）を用いた場合などでは、領域１１０の幅Ｗを１ｍｍ以上とすることで、有機ＥＬ素子やトランジスタの劣化を効果的に抑制することができ、信頼性を高めることができる。酸化物半導体のバンドギャップは３．０ｅＶ以上であるため、活性層または活性領域を酸化物半導体で形成したトランジスタ（以下、ＯＳトランジスタと呼ぶ）は熱励起によるリーク電流が小さく、また、オフ電流が極めて小さい。ＯＳトランジスタのチャネル形成領域は、インジウム（Ｉｎ）および亜鉛（Ｚｎ）の少なくとも一方を含む酸化物半導体であることが好ましい。酸化物半導体としては、Ｉｎ−Ｇａ酸化物、Ｉｎ−Ｍ−Ｚｎ酸化物（Ｍは、アルミニウム（Ａｌ）、ガリウム（Ｇａ）、イットリウム（Ｙ）、ジルコニウム（Ｚｒ）、ランタン（Ｌａ）、セリウム（Ｃｅ）、錫（Ｓｎ）、ハフニウム（Ｈｆ）、またはネオジム（Ｎｄ）を表す）等が挙げられる。また、酸化物半導体に限定されず、１４族の元素を含む半導体を半導体膜に用いるトランジスタを利用することができる。具体的には、シリコンを含む半導体や炭素を含む半導体を半導体膜に用いることができる。例えば、単結晶シリコン、ポリシリコン、微結晶シリコンまたはアモルファスシリコンなどを半導体膜に用いたトランジスタを用いることができる。例えば、１μｍ未満の結晶粒サイズを有するダイヤモンドの集合体からなる半導体を半導体膜に用いることができる。透光性を有する基板上にアルゴンガス、メタンガス、及び水素ガスを材料ガスとしてマイクロ波ＣＶＤ装置で成膜される微結晶のダイヤモンド薄膜に対してリンなどのｎ型の不純物元素をドープすることでｎ型の半導体が得られ、ボロン、リチウム、水素などのｐ型の不純物元素をドープすることでｐ型の半導体が得られる。微結晶のダイヤモンド薄膜を用いたトランジスタの電界効果移動度は高いため、チャネルサイズを小さくすることができ、フレキフィルム上に転写してフレキフィルムを曲げてもトランジスタの電気特性に悪影響がほとんどないという利点がある。なお、領域１１０ではない他の部分においても、表示領域１０１の端部と表示パネル１６０の端面との距離が上述の範囲になるように設定することが好ましい。
【００８１】
図３（Ｂ）では、３つの表示パネルに全て同じ表示パネル１６０を用いた場合を示している。したがって、最も上部に位置する表示パネル１６０ｃには、開口率の高い第２の領域１０３が視認される。したがって、表示装置の表示領域に画像等を表示したときに、輝度の高い部分が生じてしまう場合がある。
【００８２】
そこで、開口率の高い第２の領域１０３上に、他の表示パネル１６０の領域１１０が重ねて設けられない場合には、第２の領域１０３の輝度を低くすることが好ましい。例えば、第２の領域１０３の表示面側に、領域１１０と同等の透過率を有する透光性の部材を重ねて配置することができる。このとき、透光性の部材としてはフィルム形状または板状の形状のいずれかの形状とすればよい。例えば、表示パネル１６０の作製時に、領域１１０と同様の積層構造を有する部材を同一基板上に同様の工程を経て形成し、これを切り離したものを用いることが好ましい。
【００８３】
また、第２の領域１０３の輝度を低くする他の方法として、第２の領域１０３のみ表示させる画像の階調を補正する画像処理を施してもよい。特に第１の領域１０２が表示できる最大輝度よりも、第２の領域１０３が表示できる最大輝度の方が高いため、階調を低くする画像処理を行うことで、第１の領域１０２と第２の領域１０３とで、表示される画像の輝度が等しくなるように補正することができる。
【００８４】
または、第２の領域１０３に遮光性を有する部材を重ねて設け、第２の領域１０３に表示される画像が視認されないようにする、または第２の領域１０３に画像を表示しないなど、最も表示面側に位置する表示パネル１６０の第２の領域１０３を除く部分を表示装置の表示領域としてもよい。
【００８５】
上記では、一方向に複数の表示パネルを並べる場合について示したが、縦方向、及び横方向の両方に複数の表示パネルを配置する構成としてもよい。
【００８６】
３つの表示パネルを電子機器の曲がる部分、或いは曲げられる部分に配置する場合を以下に示す。図４に曲面を有する構造体２０に配置する一例を示す。複数の表示パネルを用いる場合は図４に示すように構造体の内部にＦＰＣを引出し、ここでは図示しないが、ＦＰＣへの映像信号などを形成する駆動回路は、構造体内部、または構造体内部に配置した配線を介して駆動回路や電源回路や無線通信回路などを設ける。
【００８７】
電子機器の曲がる部分、或いは曲げられる部分には、ある程度伸縮できる材料、例えば、金属ナノ粒子を用いる配線とする。
【００８８】
または、断面において蛇行するような配線構造とする。蛇行させておくことで外部からの引っ張りがあっても断線しにくい構造とすることができる。断面に配線を蛇行させることに限定されず、上面から見て蛇行させた配線配置にしてもよい。また、蛇行させたパターンを利用してアンテナとしても機能させてもよい。
【００８９】
また、金属ナノ粒子を含む配線は、有機樹脂で囲まれるような構成とする。スパッタ法で得られる金属層と金属ナノ粒子を含む層との積層構成としてもよい。
【００９０】
また、図５（Ａ）は、２つの表示パネル１６０を貼り合せた際の断面概略図である。図５（Ａ）では、ＦＰＣ１１２ａが表示パネル１６０ａの表示面側に、またＦＰＣ１１２ｂが表示パネル１６０ｂの表示面側に、それぞれ接続されている例を示している。表示パネル１６０ａおよび表示パネル１６０ｂの上面を覆って、透光性を有する樹脂層１３１を設ける構成としている。透光性を有する樹脂層１３１は、粘弾性を有する高分子材料を用いてもよい。図５（Ａ）に示すように一つの表示領域３１は、２つの表示パネル１６０ａ、１６０ｂで構成され、継ぎ目が目立たないようにされている。
【００９１】
また、図５（Ｂ）に示すように、樹脂層１３１を介して表示装置上に保護基板１３２を設けることが好ましい。このとき、樹脂層１３１は表示装置と保護基板１３２とを接着する接着層としての機能を有していてもよい。保護基板１３２により、表示装置の表面を保護するだけでなく、表示装置の機械的強度を高めることができる。保護基板１３２としては、少なくとも表示領域３１と重なる領域に透光性を有する材料を用いる。また、保護基板１３２は表示領域３１と重なる領域以外の領域が視認されないように、遮光性を備えていてもよい。
【００９２】
保護基板１３２は、タッチパネルとしての機能を有していてもよい。また表示パネル１６０が可撓性を有し、湾曲可能な場合には、保護基板１３２も同様に可撓性を有していることが好ましい。
【００９３】
また、保護基板１３２は、表示パネル１６０の表示面側に用いる基板、または樹脂層１３１との屈折率の差が２０％以下、好ましくは１０％以下、より好ましくは５％以下であることが好ましい。
【００９４】
保護基板１３２としては、フィルム状のプラスチック基板、例えば、ポリイミド（ＰＩ）、アラミド、ポリエチレンテレフタレート（ＰＥＴ）、ポリエーテルスルホン（ＰＥＳ）、ポリエチレンナフタレート（ＰＥＮ）、ポリカーボネート（ＰＣ）、ナイロン、ポリエーテルエーテルケトン（ＰＥＥＫ）、ポリスルホン（ＰＳＦ）、ポリエーテルイミド（ＰＥＩ）、ポリアリレート（ＰＡＲ）、ポリブチレンテレフタレート（ＰＢＴ）、シリコーン樹脂などのプラスチック基板を用いることができる。また、保護基板１３２は、可撓性を有することが好ましい。また、保護基板１３２は、繊維なども含み、例えばプリプレグなども含むものとする。また、基材は、樹脂フィルムに限定されず、パルプを連続シート加工した透明な不織布や、フィブロインと呼ばれるたんぱく質を含む人工くも糸繊維を含むシートや、これらと樹脂とを混合させた複合体、繊維幅が４ｎｍ以上１００ｎｍ以下のセルロース繊維からなる不織布と樹脂膜の積層体、人工くも糸繊維を含むシートと樹脂膜の積層体を用いてもよい。
【００９５】
また、図５（Ｃ）に示すように、表示パネル１６０ａおよび表示パネル１６０ｂの表示面側とは反対側の面にも樹脂層１３１を設ける構成としてもよい。この構成の作製においては、表示パネル１６０ａおよび表示パネル１６０ｂを重ねた状態で型に入れ、型に粘弾性を有する高分子材料を流しこんで硬化させて作製すればよい。
【００９６】
本実施の形態は、他の実施の形態に記載した構成と適宜組み合わせて実施することが可能である。
【００９７】
（実施の形態２）家具の一例として椅子に表示部を設ける例を図６示す。表示部には実施の形態１に示した一つの表示パネル１６０、或いは複数の表示パネル１６０ａ、１６０ｂ、１６０ｃを用いる。
【００９８】
図６（Ａ）は椅子の斜視図の一例を示しており、椅子は、脚部６１、着座部６２、背もたれ部６３とで構成され、背もたれ部に表示装置６４が組み込まれている。なお、図６（Ｂ）は椅子の断面図を示している。
【００９９】
椅子の背もたれ部６３に表示装置６４を配置する。
【０１００】
表示装置６４として、一つの表示パネル１６０を用いる場合は、背もたれ部の最上部に対応する部分には表示されない構成としている。図１（Ｃ）に示した構造体２０が背もたれ部６３に対応しており、表示装置６４の断面図に相当する。
【０１０１】
また、表示装置６４として、複数の表示パネル１６０ａ、１６０ｂ、１６０ｃの一部を重ねて用いる場合は、背もたれ部６３の高さ方向に複数の表示パネルを並べて一つの映像表示を表示装置６４に映し出すことができる。この場合は、図４に示した構造体２０が背もたれ部６３に対応しており、表示装置６４の断面図に相当する。
【０１０２】
椅子の背もたれ部６３に衝撃吸収材を設けてもよく、その場合には、使用者の背中によって押される。使用者の背中に押されたとしても表示装置６４はフレキシブルなフィルムを用いた表示パネルで形成されているため、使用上の問題はない。
【０１０３】
椅子の背もたれ部に表示装置６４を形成する場合、駆動回路や電源装置は、椅子の重量バランスを考慮して配置することが好ましく、着座部６２の下面部分または脚部に配置することが好ましい。また、表示装置６４に表示する画像データが単純なデータでない場合、画像データを作成するためのＣＰＵやその他の信号生成回路などが必要となり、椅子全体としての重量がかさむ恐れがある。そのような場合には、ｗｅｂＡＰＩ（Ａｐｐｌｉｃａｔｉｏｎ  Ｐｒｏｇｒａｍ  Ｉｎｔｅｒｆａｃｅ）を利用することで軽量化を図ることができる。ｗｅｂＡＰＩとはＷｅｂブラウザを介したＡＰＩである。ＡＰＩとは、命令や関数の集合を利用するためのプログラム上の手続きを定めた規定の集合である。椅子に外部のサーバとの通信回路（信号受信回路または信号送信回路）などやインターフェースデバイスを設けることで、外部のサーバへアクセスし、Ｗｅｂアプリケーションをサーバに実行させ、その結果を利用することができる。例えば、椅子に設けられたセンサなどから得られる環境情報を基に表示装置６４に表示する画像データをサーバで作成し、作成された画像データを受信し、表示させることができる。
【０１０４】
ブラウン管のテレビとは異なり、大画面のテレビが薄型化して部屋の壁に沿って配置できるようになってきている。壁掛けテレビや、持ち運べるテレビをテーブルや台所に配置することなども一般的になりつつある。しかしながら、依然としてテレビは薄型化しても倒れないように台座が大きくスペースを取る必要がある。また、薄型になってもその上には物を載せることが困難なため、上の空間はデッドスペースとなってしまう。また、上のスペースを利用するため、薄型テレビを収納できる棚もあるが、テレビの買い替えがある毎に棚まで変更する手間がかかる。
【０１０５】
そこで、部屋に配置するソファや椅子を表示部として使用できるようにすることでスペースの有効利用を図ることができる。従って、狭い部屋に特に有効である。また、折りたたみ収納が可能な椅子に表示部を設けることもでき、その場合、折りたたんだ状態であっても広げた状態であっても表示部を有する構成とでき、持ち運びに便利である。また、ソファの脚部や椅子の脚部にキャスターなどの移動部を設け、移動を容易な構成としてもよい。
【０１０６】
図６（Ｃ）は、応用例を示しており、テーブル６５を挟んで二脚の椅子を図示した断面図を示している。一方の椅子が表示装置６４を有しており、もう一方の椅子にも表示部６７が背もたれ部６６に設けられている。
【０１０７】
図６（Ｃ）に示すように表示装置を有する椅子を２つ向かい合わせて配置することにより、使用者が一方の椅子に座れば、その使用者がもう一方の椅子の表示画面をみることができる。
【０１０８】
さらに、椅子に光センサなどを設ければ、その使用者が一方の椅子に着座時に表示をオフ状態にすることができる。光センサとしては、光電変換素子を用いればよく、例えば、セレン系材料を用いた光電変換素子は、可視光に対する外部量子効率が高い特性を有する。当該光電変換素子では、アバランシェ現象により入射される光量に対する電子の増幅が大きい高感度のセンサとすることができる。また、セレン系材料は光吸収係数が高いため、光電変換層を薄くしやすい利点を有する。セレン系材料としては、非晶質セレンまたは結晶セレンを用いることができる。結晶セレンは、一例として、非晶質セレンを成膜後、熱処理することで得ることができる。なお、結晶セレンの結晶粒径を画素ピッチより小さくすることで、画素ごとの特性ばらつきを低減させることができる。また、結晶セレンは、非晶質セレンよりも可視光に対する分光感度や光吸収係数が高い特性を有する。
【０１０９】
また、車の車内においてもテレビの画面の位置は限られているが、後部座席を表示部として使用できるようにすることで同様のことが言え、例えば、後部座席を向い合せて配置し、一方に座って他方の表示部を見ることができる。
【０１１０】
図６（Ａ）では椅子を例に示したがソファに表示装置を組み込んだ例を図７に示す。
【０１１１】
図７はソファ７０の斜視図の一例を示しており、ソファ７０は、脚部７１、着座部７２、背もたれ部７３とで構成され、背もたれ部７３に表示装置７４が組み込まれている。
【０１１２】
ソファの背もたれ部７３に表示装置７４を配置する。背もたれ部７３の幅方向に複数の表示パネルを並べて一つの映像表示を表示装置７４に映し出すことができる。また、使用者の使用している情報端末の一部の表示をソファに設けている表示装置で表示させてもよい。例えば、屋内で映画を見る場合、字幕があり、字幕を大きく表示してしまうと映像の邪魔になってしまうため、テレビとソファを並べ、テレビは映画の映像を流し、字幕だけを拡大してソファに同期させて表示させると便利である。このようにソファに設ける表示部を他の表示装置のサブディスプレイとして利用することもできる。
【０１１３】
さらに、ソファ７０の曲面部分に光センサなどを設ければ、その使用者がソファに着座時に表示をオフ状態にすることができる。また、家においても人がソファなどに座っているかどうかをソファの周辺に設けた光センサで確認できる。このシステムを利用することでソファに座っただけでテレビの電源やエアコンの電源を入れることができる。さらに、テレビにモーションセンサやカメラなどを有している場合には、ソファに座った状態でチャンネル変更や音量調整を使用者のジェスチャーによって操作することもでき、ソファから立った状態を感知できれば画面をスクリーンセーバー画面に切り替えることもできる。
【０１１４】
ここでは、背もたれ部７３に表示装置７４を組みこんだ例を示したが、場所は特に限定されず、着座部７２に表示装置を組み込むこともできる。
【０１１５】
表示装置７４の取り付けは、ソファの背もたれ部７３に直接縫い付けてもよい。また、接着材によって表示装置７４をソファの背もたれ部７３に接着して貼り付けてもよい。また、表示装置７４をソファの背もたれ部７３にテープで取り外しができるようにしてもよい。
【０１１６】
ソファの背もたれ部には衝撃吸収材が設けられており、使用者の背中によって押しこむことができる。
【０１１７】
３枚の表示パネルで１つの表示部を構成する場合、人が着席してクッションやソファが変形しても３枚の表示パネルを固定していなければ、追随し、席から使用者が立ち上がれば元に戻る。
【０１１８】
フレキシブルな表示パネルは、押す方向が一方向、即ちパネルの平面に垂直な方向には衝撃に耐える。しかしながら、スライドする方向のほうが弱い。従って表面は摩擦係数μの少ないフィルムを用いることが好ましい。
【０１１９】
平面精度が高い物体同士であれば接触面が真空状態となるため、貼りついて動かなくなる。表面粗さが大きいと接触面が点接触になるため摩擦係数が小さくなる。しかしながら、表面粗さが大きい場合、表示に悪影響である。
【０１２０】
図６や図７に示したように、ソファや椅子の背もたれ部や着座部に表示部を設ける場合、表示部の基板としてガラス基板を用いると割れる恐れがある。表示部の基板としてプラスチックフィルムを用いることでクッションと人体の間に表示装置を設けても、ある程度の伸縮性を持たせることができ、しわができたとしても壊れない信頼性を確保することができる。例えば人が座ってクッションが沈みこんだとしてもそれに合わせて表示部が変形できれば、座った状態では表示部にしわを有した状態となり、人がたった場合には、元の状態に表示部を戻すことができる。
【０１２１】
また、デザイン上クッションの形状などを維持しつつ、その表面形状に合わせた表示装置を形成するため、クッションの表面と同じ素材を一方の基板に用いてもよい。また、クッションと表示装置は同じ製造装置、または同じ工場で作製されることが困難であるため、クッションが形成された後、形成された表示装置とを組み合わせる製造工程となる。また、クッションの形状も個体差がでる場合があるため、その個体差にも調整できるように表示部の外側のマージン部分を大きくしておけば、取り付け後にハサミやカッターで表示部の外側を切断できるのもプラスチックフィルムの利点である。
【０１２２】
また、少なからず素子は電流を流すと発熱する。プラスチックフィルムは熱によって伸び縮みの量が変わりやすい材料であるため、表示素子を駆動させて発熱した表示部を放熱することが好ましい。そこで、表示装置のフィルムに接して放熱シートを設けることが好ましい。例えば、熱伝導率１．２Ｗ／ｍＫ以上５Ｗ／ｍＫ以下の放熱シリコーンゴムシートを用いる。放熱シリコーンゴムシートは厚さが薄く、曲げることができる。
【０１２３】
ソファの表示部に画像表示させていない待機画面において、季節に合わせてソファの一部の色を変化させることができる。夏の暑い時期には、表示部の画面全面を青色にすることで見た目の涼しさを表現し、冬の寒い時期には表示部の画面全面をオレンジ色にすることで見た目の暖かさを表現することができる。ソファの表示装置の表示画面を使用者の好きな色にすることもできることはもちろんである。
【０１２４】
本実施の形態では、実施の形態１と自由に組み合わせることができる。
【０１２５】
（実施の形態３）本実施の形態では、実施の形態１に示した表示パネルを車両の内装の一部に設ける例を示す。
【０１２６】
図８（Ａ）に自動車９７００の外観を示す。図８（Ｂ）に自動車９７００の運転席を示す。自動車９７００は、車体９７０１、車輪９７０２、ダッシュボード９７０３、ライト９７０４等を有する。本発明の一態様にかかる表示装置は、自動車９７００の表示部などに用いることができる。例えば、図８（Ｂ）に示す表示部９７１０、表示部９７１１、表示部９７１２、表示部９７１３、表示部９７１４、表示部９７１５に本発明の一態様にかかる表示装置を設けることができる。
【０１２７】
表示部９７１０は、自動車のフロントガラスに設けられた表示装置である。表示部９７１０は、複数の表示パネルを並べて一つの表示装置としている。表示部９７１０は車内の照明として用いることもできる。
【０１２８】
表示部９７１１は座席の背もたれ部に設けられた表示装置である。表示部９７１１も、複数の表示パネルを並べて一つの表示装置としている。
【０１２９】
表示部９７１２はピラー部分に設けられた表示装置である。例えば、車体に設けられた撮像手段からの映像を表示部９７１２に映し出すことによって、ピラーで遮られた視界を補完することができる。表示部９７１３はダッシュボード部分に設けられた表示装置である。例えば、車体に設けられた撮像手段からの映像を表示部９７１３に映し出すことによって、ダッシュボードで遮られた視界を補完することができる。すなわち、自動車の外側に設けられた撮像手段からの映像を映し出すことによって、死角を補い、安全性を高めることができる。また、見えない部分を補完する映像を映すことによって、より自然に違和感なく安全確認を行うことができる。
【０１３０】
また、図９は、運転席と助手席にベンチシートを採用した自動車の室内を示している。表示部９７２１は、ドア部に設けられた表示装置である。例えば、車体に設けられた撮像手段からの映像を表示部９７２１に映し出すことによって、ドアで遮られた視界を補完することができる。また、実施の形態１に示した表示パネルの曲がる部分をウィンドウとドアのすき間に配置することで、ドアの基本フレームを変更することなく表示部９７２１を設けることができる。また、表示部９７２２は、ハンドルに設けられた表示装置である。ハンドル部分は設置できる画面面積が限られているため、実施の形態１に示した表示パネルを用いて開口部分で折り曲げることで表示面積を最大限利用し、表示パネルの表示領域以外の面積を小さくしてハンドル部分に組み込むことができる。表示部９７２３は、ベンチシートの着座に設けられた表示装置である。なお、表示装置を座面や、背もたれ部分の使用者の背中との接触面などに設置して、当該表示装置を、当該表示装置の発熱を熱源としたシートヒーターとして利用することもできる。
【０１３１】
表示部９７１４、表示部９７１５、または表示部９７２２はナビゲーション情報、スピードメーターやタコメーター、走行距離、給油量、ギア状態、エアコンの設定など、その他様々な情報を提供することができる。また、表示部に表示される表示項目やレイアウトなどは、使用者の好みに合わせて適宜変更することができる。なお、上記情報は、表示部９７１０、表示部９７１１、表示部９７１２、表示部９７１３、表示部９７２１、表示部９７２３にも表示することができる。また、表示部９７１０、表示部９７１１、表示部９７１２、表示部９７１３、表示部９７１４、表示部９７１５、表示部９７２１、表示部９７２２、表示部９７２３は照明装置として用いることも可能である。また、表示部９７１０、表示部９７１１、表示部９７１２、表示部９７１３、表示部９７１４、表示部９７１５、表示部９７２１、表示部９７２２、表示部９７２３は加熱装置として用いることも可能である。
【０１３２】
車内に表示領域を配置する場合、場所によって様々な画面サイズとなる。同じフォトマスクを用いて製造された共通の表示パネルを用い、面積に合わせて複数用意して重ね合わせることで画面サイズを決定することができるため、製造コストを削減できる。
【０１３３】
また、表示装置を他のセンサと組み合わせて利用することもできる。例えば、車の中で運転者が座っているかどうかを判断する場合、光センサでは光のほとんどない暗い場所では光の検知が困難であるため、着座状態を確認することが困難であり、誤動作が発生する。背もたれや、着座部に表示部があれば、それを照明として光らせて運転手の影を光センサで撮像することができる。また、表示部を利用して着座の正確な位置も確認できる。
【０１３４】
車に限定されず、飛行機、電車などの椅子に適用することもできる。
【０１３５】
例えば、新幹線の自由席などにおいては一時的に席を離れる場合には、手荷物を置く以外に席を確保することが困難である。しかし、手荷物には盗難の恐れのある貴重品を残しておけない。従って、携帯情報端末と連携させて短時間の制限時間であれば、着座部または背もたれ部に設けられた表示装置に情報を入力し、座席が確保されていることを座ろうとしている相手になんらかの表示をすることで防ぎ、一時的な席の離れを可能とする。また、映画館、パチンコ店などのアミューズメント施設の座席でも同様に利用できる。
【０１３６】
本実施の形態は、他の実施の形態に記載した構成と適宜組み合わせて実施することが可能である。
【０１３７】
（実施の形態４）本実施の形態では、本発明の一態様の表示装置が適用された電子機器や照明装置の例について、図面を参照して説明する。
【０１３８】
フレキシブルな形状を備える表示装置を適用した電子機器として、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０１３９】
また、照明装置や表示装置を、家屋やビルの内壁または外壁や、自動車の内装または外装の曲面に沿って組み込むことも可能である。
【０１４０】
図１０（Ａ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを備えている。なお、携帯電話機７４００は、表示装置を表示部７４０２に用いることにより作製される。
【０１４１】
図１０（Ａ）に示す携帯電話機７４００は、表示部７４０２を指などで触れることで、情報を入力することができる。また、電話を掛ける、或いは文字を入力するなどのあらゆる操作は、表示部７４０２を指などで触れることにより行うことができる。
【０１４２】
また操作ボタン７４０３の操作により、電源のＯＮ、ＯＦＦや、表示部７４０２に表示される画像の種類を切り替えることができる。例えば、メール作成画面から、メインメニュー画面に切り替えることができる。
【０１４３】
ここで、表示部７４０２には、本発明の一態様の表示装置が組み込まれている。本実施の形態では、実施の形態２に示す表示パネルの一部を携帯電話機内部で折れ曲げて収納させている。したがって、湾曲した表示部を備え、且つ信頼性の高い携帯電話機とすることができる。
【０１４４】
図１０（Ｂ）は、リストバンド型の表示装置の一例を示している。携帯表示装置７１００は、筐体７１０１、表示部７１０２、操作ボタン７１０３、及び送受信装置７１０４を備える。
【０１４５】
携帯表示装置７１００は、送受信装置７１０４によって映像信号を受信可能で、受信した映像を表示部７１０２に表示することができる。また、音声信号を他の受信機器に送信することもできる。
【０１４６】
また、操作ボタン７１０３によって、電源のＯＮ、ＯＦＦ動作や表示する映像の切り替え、または音声のボリュームの調整などを行うことができる。
【０１４７】
ここで、表示部７１０２には、本発明の一態様の表示装置が組み込まれている。したがって、湾曲した表示部を備え、且つ信頼性の高い携帯表示装置とすることができる。
【０１４８】
図１０（Ｃ）、図１０（Ｄ）、図１０（Ｅ）は、照明装置の一例を示している。照明装置７２００、照明装置７２１０、照明装置７２２０はそれぞれ、操作スイッチ７２０３を備える台部７２０１と、台部７２０１に支持される発光部を有する。
【０１４９】
図１０（Ｃ）に示す照明装置７２００は、波状の発光面を有する発光部７２０２を備える。したがってデザイン性の高い照明装置となっている。また、構造体を挟んで両面が発光面となっており、実施の形態２に示す構成が用いられている。
【０１５０】
図１０（Ｄ）に示す照明装置７２１０の備える発光部７２１２は、凸状に湾曲した２つの発光部が対称的に配置された構成となっている。したがって照明装置７２１０を中心に全方位を照らすことができる。
【０１５１】
図１０（Ｅ）に示す照明装置７２２０は、凹状に湾曲した発光部７２２２を備える。したがって、発光部７２２２からの発光を、照明装置７２２０の前面に集光するため、特定の範囲を明るく照らす場合に適している。
【０１５２】
また、照明装置７２００、照明装置７２１０及び照明装置７２２０が備える各々の発光部はフレキシブル性を有しているため、当該発光部を可塑性の部材やフレームなどの部材で固定し、用途に合わせて発光部の発光面を自在に湾曲可能な構成としてもよい。
【０１５３】
ここで、照明装置７２００、照明装置７２１０及び照明装置７２２０が備える各々の発光部には、本発明の一態様の表示装置が組み込まれている。したがって、表示部を任意の形状に湾曲可能であり、且つ信頼性の高い照明装置とすることができる。
【０１５４】
なお、本発明の一態様の表示装置を具備していれば、上記で示した電子機器や照明装置に特に限定されないことは言うまでもない。
【０１５５】
本実施の形態は、他の実施の形態に記載した構成と適宜組み合わせて実施することが可能である。
【０１５６】
（実施の形態５）本実施の形態では、実施の形態２で示した図７のソファの構成の変形例を示す。
【０１５７】
図１１（Ａ）は、ソファ９０の斜視図の一例を示しており、ソファ９０は、脚部７１、着座部７２、背もたれ部７３とで構成され、背もたれ部７３に表示装置７４が組み込まれている。図１１において、図７と同一の箇所には同一の符号を用いる。
【０１５８】
ソファ９０の背もたれ部７３に表示装置７４を配置する。背もたれ部７３の幅方向に複数の表示パネルを並べて一つの映像表示を表示装置７４に映し出すことができる。
【０１５９】
さらに、ソファ９０は入出力部７６、入出力部７７を有する。入出力部７６、入出力部７７に光センサなどを設けて光量を測定し、その光量に基づき、その使用者がソファに着座時に表示をオフ状態にすることができる。入出力部７７はフレキシブルなフィルムを用いた表示装置を用いてもよく、同一基板上に光センサを複数設けることで曲面に測定領域の異なる複数の光センサを設けることができ多方向の光量の検出ができる。入出力部７６、入出力部７７は操作ができるように、タッチ入力パネルとしてもよい。
【０１６０】
図１１（Ｃ）にフレキシブルなフィルム８３上に複数の光センサ８４ａ、８４ｂ、８４ｃ及び表示部８５を設けた入出力部７６の断面構造の一例を示す。矢印はそれぞれの光センサ８４ａ、８４ｂ、８４ｃで測定される光の方向８６を示しており、フレキシブルフィルム８３を脚部７１の曲面に沿って曲げて設置することで、光センサの受光方向を異ならせることで、多方向の光量が検出できる。
【０１６１】
図１２（Ａ）を用いて、光センサである光電変換装置２０００の構成の一例を説明する。光電変換装置２０００は、センサ素子群２００１、制御部２００２及びＡＤ変換回路２００３として機能する部分を有する。センサ素子群２００１は、光を検知する機能を有している。制御部２００２は、センサ素子群２００１が光を検知するタイミングを制御する機能を有する。ＡＤ変換回路２００３は、センサ素子群２００１が検出した光に応じた電流又は電圧をアナログ値からデジタル値に変換する機能を有する。なお、光電変換装置２０００の構成はこれに限定されず、様々な構成を用いることができる。
【０１６２】
センサ素子群２００１としては、ＣＭＯＳセンサと呼ばれる、ＭＯＳトランジスタの増幅機能を用いたフォトセンサが代表的に用いることができる。ＣＭＯＳセンサは、汎用のＣＭＯＳプロセスを用いて製造できる。そのため、ＣＭＯＳセンサを各画素に有する固体撮像装置の製造コストを低くできる上に、フォトセンサと表示素子を同一基板上に作り込んだ半導体装置を実現することができる。また、ＣＭＯＳセンサはＣＣＤセンサに比べて駆動電圧が低いため、固体撮像装置の消費電力を低く抑えることができる。
【０１６３】
ＣＭＯＳセンサを用いた固体撮像装置では、撮像の際に、フォトダイオードにおける電荷の蓄積動作と、上記電荷の読み出し動作とを、行ごとに順次行うローリングシャッタ方式が用いられている。
【０１６４】
図１２（Ｂ）は、光センサの断面図の一例を示す。フレキシブル基板３００上に設けられたトランジスタ３０１、トランジスタ３０４、および光電変換素子３２０を有する。図１２（Ｂ）に例示するトランジスタは、ゲート電極層、ゲート絶縁膜、半導体層、ソース電極層およびドレイン電極層を基本構成としたボトムゲート型トランジスタである。
【０１６５】
また、トランジスタ３０１、トランジスタ３０４の半導体層として酸化物半導体を用いる場合はフレキシブル基板３００上に直接成膜して作製することができる。また、トランジスタ３０１、トランジスタ３０４の半導体層としてポリシリコン薄膜やダイヤモンド薄膜を用いる場合には、支持基板上に剥離層を形成し、剥離層上にトランジスタを形成した後、支持基板を除去してフレキシブル基板３００を貼り付けることで作製することができる。図１５に剥離層を用いる場合の作製工程の一例を示す。
【０１６６】
図１５（Ａ）には、石英基板またはガラス基板などの耐熱性が高く、透光性を有する基板４００上に剥離層４０１を形成し、トランジスタ４１１、トランジスタ４１４、および光電変換素子３２０を作製した段階での断面図を示している。剥離層４０１としてはタングステン膜、或いは水素を含むアモルファスシリコン膜を用いる。なお、トランジスタ４１１は、ｎ型またはｐ型の不純物元素がドープされたダイヤモンド薄膜４２０を有しており、トランジスタ４１４は、ｎ型またはｐ型の不純物元素がドープされたダイヤモンド薄膜４２１を有している例である。ダイヤモンド薄膜をトランジスタに用いる場合、６００℃程度の加熱処理を行う場合があるため、剥離層４０１としてはタングステン膜を用いることが好ましい。なお、水素を含むアモルファスシリコン膜を用いる場合はレーザー光を照射して剥離を生じさせるため、基板４００は透光性を有する基板を用いる。
【０１６７】
次いで、図１５（Ｂ）に示すように基板４００及び剥離層４０１を分離する。
【０１６８】
分離した後、接着層４０２を用いてフレキシブル基板３００を貼り付ける。この段階の断面図が図１５（Ｃ）に相当する。
【０１６９】
また、図１５に示した剥離層を用いた作製方法に限定されず、他の公知の方法によって剥離を行ってもよい。例えば、図１６（Ａ）に示すように剥離層４０１としてポリイミドなどの樹脂層を用いる場合もある。その場合には、図１６（Ｂ）に示すようにレーザー光が照射される剥離層面、即ち透光性を有する基板４００と剥離層４０１の界面で分離されるため、図１６（Ｃ）に示すように基板４００を除去した後に、剥離層４０１をそのままフレキシブル基板として用いることもできる。
【０１７０】
光電変換素子３２０は、導電層３２５上に設けられた半導体層を有する。当該半導体層は、導電層３２５側からｐ型半導体層３２１、ｉ型半導体層３２２、ｎ型半導体層３２３の構成とすることができる。なお、導電層３２５は光電変換素子３２０のアノード電極として機能させることができる。なお、ｎ型半導体層３２３の上面にカソード電極としての機能を有する透光性導電膜を設ける構成としてもよい。半導体層としては、非晶質シリコンや微結晶シリコンや多結晶シリコンなどを用いる。
【０１７１】
ここで、トランジスタ３０１、トランジスタ３０４、および導電層３２５の一部の領域上には絶縁層３３５が設けられる。絶縁層３３５はトランジスタのチャネル領域と接する膜であり、トランジスタの半導体層との界面に欠陥を生成しにくい膜であることが好ましい。例えば、絶縁層３３５には、酸化シリコン膜や酸化窒化シリコン膜などを用いることができる。
【０１７２】
また、図１２（Ｂ）に示すように、光電変換素子３２０は、導電層３２５と半導体層の端部近傍との間に絶縁層３３５が設けられた領域を有する。このような構成にすることで、半導体層の加工工程において導電層３２５がエッチングされることによる断線防止、および導電層３２５成分による半導体層の汚染を防止する効果がある。
【０１７３】
また、絶縁層３３６は、絶縁層３３５上および光電変換素子３２０の半導体層にも接して設けることができる。例えば、絶縁層３３６には、窒化シリコン膜や酸化アルミニウム膜などを用いることができる。または、窒化アルミニウム膜、酸化窒化アルミニウム膜、窒化酸化アルミニウム膜、酸化ガリウム膜、酸化窒化ガリウム膜、酸化イットリウム膜、酸化窒化イットリウム膜、酸化ハフニウム膜、酸化窒化ハフニウム膜、イットリア安定化ジルコニア（ＹＳＺ）膜等を用いてもよい。
【０１７４】
また、絶縁層３３６上には絶縁層３３７が形成される。絶縁層３３７としては、例えば、酸化シリコン膜などの無機膜のほか、アクリル樹脂やポリイミド樹脂などの有機樹脂を用いることができる。また、絶縁層３３７にコンタクトホールを形成し、当該コンタクトホールに設けた導電層３３９によってトランジスタ３０１と光電変換素子３２０との電気的な接続を行うことができる。
【０１７５】
導電層３３９には透光性導電膜を用いることができる。すなわち、光電変換素子３２０は導電層３３９を設ける面が受光面となる。透光性導電膜としては、例えば、インジウム錫酸化物、シリコンを含むインジウム錫酸化物、亜鉛を含む酸化インジウム、酸化亜鉛、ガリウムを含む酸化亜鉛、アルミニウムを含む酸化亜鉛、酸化錫、フッ素を含む酸化錫、アンチモンを含む酸化錫、またはグラフェン等を用いることができる。また、導電層３３９は単層に限らず、上記の透光性導電膜の積層であっても良い。
【０１７６】
トランジスタ３０１、トランジスタ３０４が有する半導体層は、酸化物半導体や非晶質シリコン膜や、微結晶シリコンや多結晶シリコンを用いる構成であってもよい。
【０１７７】
導電層３２５には、代表的にはチタン、アルミニウム、タングステン、モリブデン、タンタルなどの金属、または導電層３３９に用いることのできる透光性導電膜を用いることができる。
【０１７８】
なお、図１２（Ｂ）では、光電変換素子３２０として上述のようにシリコンを用いたｐｉｎ型フォトダイオードを例として説明するが、単結晶シリコンを用いたｐｎ型フォトダイオードであってもよい。また、セレンや、銅、インジウム、セレンの化合物（ＣＩＳ）を含む層を有する素子であってもよい。または、銅、インジウム、ガリウム、セレンの化合物（ＣＩＧＳ）を含む層を有する素子であってもよい。
【０１７９】
また、図１２（Ｃ）に入出力部７００として表示部とタッチ入力部とを可撓性を有する第１の基板７０１上に形成する例を示す。
【０１８０】
可撓性を有する第１の基板７０１上に設けられた画素部７０２と、可撓性を有する第１の基板７０１に設けられたソースドライバ回路部７０４及びゲートドライバ回路部と、画素部７０２、ソースドライバ回路部７０４、及びゲートドライバ回路部を囲むように配置されるシール材７１２と、可撓性を有する第１の基板７０１に対向するように設けられる可撓性を有する第２の基板７０５と、を有する。
【０１８１】
また、入出力部７００が有する画素部７０２、ソースドライバ回路部７０４及びゲートドライバ回路部は、複数のトランジスタを有している。
【０１８２】
また、表示部となる画素部７０２には、様々な素子を有することが出来る。該素子の一例としては、例えば、エレクトロルミネッセンス（ＥＬ）素子（有機物及び無機物を含むＥＬ素子、有機ＥＬ素子、無機ＥＬ素子、ＬＥＤなど）、発光トランジスタ素子（電流に応じて発光するトランジスタ）、電子放出素子、液晶素子、電子インク素子、電気泳動素子、エレクトロウェッティング素子、プラズマディスプレイパネル（ＰＤＰ）、ＭＥＭＳ（マイクロ・エレクトロ・メカニカル・システム）ディスプレイ（例えば、グレーティングライトバルブ（ＧＬＶ）、デジタルマイクロミラーデバイス（ＤＭＤ）、デジタル・マイクロ・シャッター（ＤＭＳ）素子、インターフェロメトリック・モジュレーション（ＩＭＯＤ）素子など）、圧電セラミックディスプレイなどが挙げられる。
【０１８３】
また、バックライト（有機ＥＬ素子、無機ＥＬ素子、ＬＥＤ、蛍光灯など）に白色発光（Ｗ）を用いて表示装置をフルカラー表示させるために、着色層（カラーフィルタともいう。）を用いてもよい。着色層は、例えば、レッド（Ｒ）、グリーン（Ｇ）、ブルー（Ｂ）、イエロー（Ｙ）などを適宜組み合わせて用いることができる。
【０１８４】
トランジスタ７５０及びトランジスタ７５２は、酸化物半導体を用いたトランジスタまたはポリシリコンを用いたトランジスタを用いる。
【０１８５】
容量素子７９０は、トランジスタ７５０が有する第１のゲート電極として機能する導電膜と同一の導電膜を加工する工程を経て形成される下部電極と、トランジスタ７５０が有するソース電極及びドレイン電極として機能する導電膜と同一の導電膜を加工する工程を経て形成される上部電極と、を有する。また、下部電極と上部電極との間には、トランジスタ７５０が有する第１のゲート絶縁膜として機能する絶縁膜と同一の絶縁膜を形成する工程を経て形成される絶縁膜と、トランジスタ７５０の保護絶縁膜として機能する絶縁膜と同一の絶縁膜を形成する工程を経て形成される絶縁膜とが設けられる。すなわち、容量素子７９０は、一対の電極間に誘電体膜として機能する絶縁膜が挟持された積層型の構造である。
【０１８６】
また、図１２（Ｃ）において、トランジスタ７５０、トランジスタ７５２、及び容量素子７９０上に平坦化絶縁膜７７０が設けられている。
【０１８７】
また、図１１及び図１２においては、画素部７０２が有するトランジスタ７５０と、ソースドライバ回路部７０４が有するトランジスタ７５２と、を同じ構造のトランジスタを用いる構成について例示したが、これに限定されない。例えば、画素部７０２と、ソースドライバ回路部７０４とは、異なるトランジスタを用いてもよい。具体的には、画素部７０２にトップゲート型のトランジスタを用い、ソースドライバ回路部７０４にボトムゲート型のトランジスタを用いる構成、あるいは画素部７０２にボトムゲート型のトランジスタを用い、ソースドライバ回路部７０４にトップゲート型のトランジスタを用いる構成などが挙げられる。なお、上記のソースドライバ回路部７０４を、ゲートドライバ回路部と読み替えてもよい。
【０１８８】
また、信号線７１０は、トランジスタ７５０、７５２のソース電極及びドレイン電極として機能する導電膜と同じ工程を経て形成される。信号線７１０として、例えば、銅元素を含む材料を用いた場合、配線抵抗に起因する信号遅延等が少なく、大画面での表示が可能となる。
【０１８９】
また、ＦＰＣ端子部７０８は、接続電極７６０、異方性導電膜７８０、及びＦＰＣ７１６を有する。なお、接続電極７６０は、トランジスタ７５０、７５２のソース電極及びドレイン電極として機能する導電膜と同じ工程を経て形成される。また、接続電極７６０は、ＦＰＣ７１６が有する端子と異方性導電膜７８０を介して、電気的に接続される。
【０１９０】
また、可撓性を有する第１の基板７０１及び可撓性を有する第２の基板７０５は、フレキシブルフィルムを用いればよい。
【０１９１】
また、可撓性を有する第１の基板７０１と可撓性を有する第２の基板７０５の間には、構造体７７８が設けられる。構造体７７８は、絶縁膜を選択的にエッチングすることで得られる柱状のスペーサであり、可撓性を有する第１の基板７０１と可撓性を有する第２の基板７０５の間の距離（セルギャップ）を制御するために設けられる。なお、構造体７７８として、球状のスペーサを用いていても良い。
【０１９２】
また、可撓性を有する第２の基板７０５側には、ブラックマトリクスとして機能する遮光膜７３８と、カラーフィルタとして機能する着色膜７３６と、遮光膜７３８及び着色膜７３６に接する絶縁膜７３４が設けられる。
【０１９３】
入出力部７００は、発光素子７８２を有する。発光素子７８２は、導電膜７７２、ＥＬ層７８６、及び導電膜７８８を有する。図１２（Ｃ）に示す入出力部７００は、発光素子７８２が有するＥＬ層７８６が発光することによって、画像を表示することができる。なお、ＥＬ層７８６は、有機化合物、または量子ドットなどの無機化合物を有する。
【０１９４】
有機化合物に用いることのできる材料としては、蛍光性材料または燐光性材料などが挙げられる。また、量子ドットに用いることのできる材料としては、コロイド状量子ドット材料、合金型量子ドット材料、コア・シェル型量子ドット材料、コア型量子ドット材料、などが挙げられる。また、１２族と１６族、１３族と１５族、または１４族と１６族の元素グループを含む材料を用いてもよい。または、カドミウム（Ｃｄ）、セレン（Ｓｅ）、亜鉛（Ｚｎ）、硫黄（Ｓ）、リン（Ｐ）、インジウム（Ｉｎ）、テルル（Ｔｅ）、鉛（Ｐｂ）、ガリウム（Ｇａ）、ヒ素（Ａｓ）、アルミニウム（Ａｌ）、等の元素を有する量子ドット材料を用いてもよい。
【０１９５】
また、ＥＬ層７８６は、上述の有機化合物、及び無機化合物を用いて、例えば、蒸着法（真空蒸着法を含む）、液滴吐出法（インクジェット法ともいう）、塗布法、グラビア印刷法等の方法を用いて形成することができる。また、ＥＬ層７８６としては、低分子材料、中分子材料（オリゴマー、デンドリマーを含む）、または高分子材料を含んでも良い。
【０１９６】
また、図１２（Ｃ）に示す入出力部７００には、平坦化絶縁膜７７０及び導電膜７７２上に絶縁膜７３０が設けられる。絶縁膜７３０は、導電膜７７２の一部を覆う。なお、発光素子７８２はトップエミッション構造である。したがって、導電膜７８８は透光性を有し、ＥＬ層７８６が発する光を透過する。なお、本実施の形態においては、トップエミッション構造について、例示するが、これに限定されない。例えば、導電膜７７２側に光を射出するボトムエミッション構造や、導電膜７７２及び導電膜７８８の双方に光を射出するデュアルエミッション構造にも適用することができる。
【０１９７】
また、発光素子７８２と重なる位置に、着色膜７３６が設けられ、絶縁膜７３０と重なる位置、引き回し配線部７１１、及びソースドライバ回路部７０４に遮光膜７３８が設けられている。また、着色膜７３６及び遮光膜７３８は、絶縁膜７３４で覆われている。また、発光素子７８２と絶縁膜７３４の間は封止膜７３２で充填されている。なお、図１２（Ｃ）に示す入出力部７００においては、着色膜７３６を設ける構成について例示したが、これに限定されない。例えば、ＥＬ層７８６を塗り分けにより形成する場合においては、着色膜７３６を設けない構成としてもよい。
【０１９８】
また、図１２（Ｃ）に示す入出力部７００はタッチパネル７９１を設ける構成を示している。
【０１９９】
タッチパネル７９１は、基板７０５と着色膜７３６との間に設けられる、所謂インセル型のタッチパネルである。タッチパネル７９１は、遮光膜７３８、及び着色膜７３６を形成する前に、基板７０５側に形成すればよい。
【０２００】
なお、タッチパネル７９１は、遮光膜７３８と、絶縁膜７９２と、電極７９３と、電極７９４と、絶縁膜７９５と、電極７９６と、絶縁膜７９７と、を有する。例えば、指やスタイラスなどの被検知体が近接することで、電極７９３と、電極７９４との相互容量の変化を検知することができる。
【０２０１】
また、図１２（Ｃ）に示すトランジスタ７５０の上方においては、電極７９３と、電極７９４との交差部を明示している。電極７９６は、絶縁膜７９５に設けられた開口部を介して、電極７９４を挟む２つの電極７９３と電気的に接続されている。なお、図１２（Ｃ）においては、電極７９６が設けられる領域を画素部７０２に設ける構成を例示したが、これに限定されず、例えば、ソースドライバ回路部７０４に形成してもよい。
【０２０２】
電極７９３及び電極７９４は、遮光膜７３８と重なる領域に設けられる。また、図１２（Ｃ）に示すように、電極７９３は、発光素子７８２と重ならないように設けられると好ましい。別言すると、電極７９３は、発光素子７８２と重なる領域に開口部を有する。すなわち、電極７９３はメッシュ形状を有する。このような構成とすることで、電極７９３は、発光素子７８２が射出する光を遮らない構成とすることができる。したがって、タッチパネル７９１を配置することによる輝度の低下が極めて少ないため、視認性が高く、且つ消費電力が低減された表示装置を実現できる。なお、電極７９４も同様の構成とすればよい。
【０２０３】
また、電極７９３及び電極７９４が発光素子７８２と重ならないため、電極７９３及び電極７９４には、可視光の透過率が低い金属材料を用いることができる。
【０２０４】
そのため、可視光の透過率が高い酸化物材料を用いた電極と比較して、電極７９３及び電極７９４の抵抗を低くすることが可能となり、タッチパネルのセンサ感度を向上させることができる。
【０２０５】
例えば、電極７９３、７９４、７９６には、導電性のナノワイヤを用いてもよい。当該ナノワイヤは、直径の平均値が１ｎｍ以上１００ｎｍ以下、好ましくは５ｎｍ以上５０ｎｍ以下、より好ましくは５ｎｍ以上２５ｎｍ以下の大きさとすればよい。また、上記ナノワイヤとしては、Ａｇナノワイヤ、Ｃｕナノワイヤ、またはＡｌナノワイヤ等の金属ナノワイヤ、あるいは、カーボンナノチューブなどを用いればよい。例えば、電極７９３、７９４、７９６のいずれか一つあるいは全部にＡｇナノワイヤを用いる場合、可視光における光透過率を８９％以上、シート抵抗値を４０Ω／□以上１００Ω／□以下とすることができる。
【０２０６】
また、図１２（Ｃ）に示す入出力部７００においては、インセル型のタッチパネルの構成について例示したが、これに限定されない。
【０２０７】
また、作製工程数が増加するが、図１２（Ｂ）の構成と図１２（Ｃ）の構成とを同一基板上に形成することもできる。例えば、フレキシブル基板上に、発光素子と、該発光素子を駆動するトランジスタと、光電変換素子と、該光電変換素子を駆動するトランジスタとを形成し、集積化を図ってもよい。
【０２０８】
入出力部７６、入出力部７７の上にスマートフォンなどの携帯情報端末を載せて携帯情報端末の充電が可能な場所としてもよい。入出力部７６、入出力部７７は、近づけることでスマートフォンなどの携帯情報端末と無線通信できる場所としてアンテナを有していてもよい。また、入出力部７６、入出力部７７は、他の電子機器と有線で接続するコネクタを有していてもよい。入出力部７６に撮像デバイスを設け、画像を取り込み、その画像を解析することで屋内にいる人物の臥位、座位、立位を判断することもできる。
【０２０９】
ソファ９０には、フレキシブルな表示装置７４の他に、スピーカ７５や、それらをコントロールするための制御装置、およびそれらの操作に必要な電源装置などを有する。ソファ９０に制御装置としてＣＰＵなども内蔵させることで情報処理端末の一種とすることができる。
【０２１０】
図１１（Ｂ）は、屋内の天井には照明装置８０を有し、中央付近に一対のソファの断面構造、壁には窓８１がある様子を示している。入出力部７６の制御部７８は、入出力部７６の光センサと電気的に接続され、光量を測定することができる。また、通信部７９は、無線または有線で他のデバイスと通信可能としている。
【０２１１】
また、入出力部７６として、温度センサや時計機能、ネット接続インターフェイスなどをソファに内蔵すれば、ネットに接続させ、クラウドを利用することで日時や使用者のスケジュールを取り込むことができ、表示部に画像表示させていない待機画面において、日時やその日のスケジュールを表示させて情報画面として機能させることができる。また、待機画面において、簡単な文字を表示させたニュースなどもテロップとして流すことができる。
【０２１２】
ゲストルームや待合室などでは、一対のソファや椅子が設置されることが多い。この場合、表示装置をさらに設置する場所は、ソファから離れた箇所且つ、高い位置となり大画面が必要となってくる。或いは、ソファに座って横向きで表示装置を見る配置が考えられる。一対のソファにそれぞれ一人ずつ座ると、向かい合うソファが視界を妨げることとなるため、ソファから離れた箇所且つ、高い位置となり大画面が必要となってくる。
【０２１３】
ソファの背もたれ部に表示装置があると、座っていない領域は表示画面として利用でき、見やすい姿勢で視聴することができる。
【０２１４】
図１１（Ｂ）に示す屋内において照明装置の光量調節とソファの表示調節とを行うこともできる。例えば、使用者が屋内に入った段階でソファの入出力部７６で感知して照明装置８０をオン状態とする。そして、一対のソファのうち、どちらか一方のソファに腰掛けることによって、もう一方のソファの表示装置をオン状態にすることができる。
【０２１５】
また、窓８０からの光量に応じて照明装置の光量や、ソファの表示装置の映像を制御してもよい。例えば、映画を視聴する場合には、画面周辺を暗くしてコントラストを強調する環境にしてもよい。
【０２１６】
また、ソファの電源装置８２は、二次電池などの電源の他に表示装置７４への映像出力部も有している。ソファ内部の電源に供給するための電源コードを設けてもよいが、無接点電力で供給する構成としてもよい。
【０２１７】
また、ソファ内部に複数の二次電池を有する大容量の蓄電装置を設けてもよく、一度蓄電された電力を他の電子機器に配分するシステムとしてもよい。停電時にソファに設けられた表示部を内部の蓄電装置に蓄えられた電力を用いて発光させれば、非常用の照明にすることもできる。従来の家庭用電源は屋外に設けられることが多いが、ソファ内部であれば屋内であり、外部環境の影響を小さくし、送電距離も短くできる。また、ソファに内蔵させれば設置スペースにも困らない。ソファにおいては重量も必要であるため、蓄電装置の重量を利用することもできる。
【０２１８】
また、各家庭には電力の設定値（契約アンペアとも呼ぶ）が変更できるようになっているが、その設定値を超えるとブレーカが落ち、停電状態となる。従って、ブレーカーが落ちないように電力管理できるデバイス、もしくは、そのような管理システムがあると便利である。ソファに二次電池を備えていれば、停電時には表示装置が照明替わりとなる。
【０２１９】
本実施の形態は他の実施の形態と自由に組み合わせることができる。本実施の形態は実施の形態６と自由に組み合わせることができ、例えば、ソファの入出力部７６、入出力部７７などに光量を検出するセンサを設ければ、実施の形態６に示す第２の表示装置として図１１のデバイスを用いることができる。
【０２２０】
図１１（Ｂ）では一対のソファを例に示したが、屋内において一つのソファと、一つの表示装置とする場合においても適用することもできる。
【０２２１】
また、第２の表示装置をスマートフォンなどの携帯情報端末として第３の表示装置として図１１のデバイスを用いることもできる。
【０２２２】
また、一対のソファはそれぞれが第１の表示装置、第２の表示装置とみなすことができ、実施の形態６に示す管理システムを応用することもできる。
【０２２３】
サーバコンピュータと送受信可能とし、スマートフォンなどの携帯情報端末と連携させることができる。ソファや椅子のような家具も家庭電化製品として扱い、スマートフォンなどの携帯情報端末で管理または操作をすることができる。
【０２２４】
また、図１１（Ａ）に示すように、ソファなどの家具を家庭電化製品の一種とすることで、家庭電化製品（例えばテレビ、スピーカ、照明など）の置くスペースを縮小し、居住空間をより効率よく使用することができる。
【０２２５】
また、図１１（Ａ）、図１１（Ｂ）に示すソファは、複数人用の幅の広い形状の例を示したが、映画館などのようなアミューズメント施設に列で並べられた折り畳み椅子として設置することでも有効に利用できる。
【０２２６】
図１１（Ａ）、図１１（Ｂ）に示すソファに限定されず、背もたれを倒すことでベッドとなるソファベッドに適用してもよい。
【０２２７】
（実施の形態６）図１３に管理システムを構成するブロックを図示する。
【０２２８】
図１３は屋内における表示装置の管理システムの例であるので、電力設備から分配された電力が変圧器や電力量計（スマートメータ）などを介して供給された分電盤２０１からの説明とする。
【０２２９】
分電盤２０１は、分電盤には配電線などを介して電気的に接続される電気機器（照明装置２０２、第１の表示装置２０３など）に電力を供給する。なお、電気機器は、コンセントなどを介して配電線に着脱可能に接続される。
【０２３０】
また、屋内には有線ＬＡＮや無線ＬＡＮなどのホームネットワークが構成される。屋内にある第２の表示装置２０４、第３の表示装置２０５は、直接または間接的にＩＰネットワーク（Ｉｎｔｅｒｎｅｔ  Ｐｒｏｔｏｃｏｌ）や無線ＬＡＮなどによって着脱可能に他のデバイスと接続される。屋内または屋外にある通信部２０６はサーバーコンピュータＳＶと通信する、またはデータベースＤＶからデータの受け取る、またはデータベースＤＶにデータを保存するなどができる。
【０２３１】
クラウド２０７は、一つまたは複数のサーバーコンピュータＳＶを少なくとも含み、一つまたは複数のデータベースＤＶを有する。
【０２３２】
クラウド２０７は、第１の表示装置で表示された表示データを取得する取得部と、取得された表示データの情報に基づき、第１の表示装置の表示部の劣化を予測する予測部と、取得部で取得された光量データに基づき、第１の表示装置の表示部の劣化を緩和させる表示データを作成する表示データ作成部と、作成した表示データを出力する表示装置を選択し、照明装置の光量を決定する制御部と、を少なくとも備える。
【０２３３】
例えば、取得部、予測部、表示データ作成部、及び制御部はクラウド２０７に分散配置される機能オブジェクトである。取得部、予測部、表示データ作成部、及び制御部は、クラウド２０７に分散配置されているうちの一つのサーバーコンピュータＳＶにより実行されるプログラムとして実現される。
【０２３４】
第１の表示装置の表示部の表示環境の最適化演算の流れの一例を図１４のフローチャートを用いて説明する。
【０２３５】
屋内の電気機器（照明装置２０２、第１の表示装置２０３）を制御するため、第２の表示装置２０４が有しているセンサ部２１１を用いる。第１の表示装置２０３は、屋内に設置された据え置き型のテレビであり、第２の表示装置２０４は使用者が所有している携帯情報端末（スマートフォンなど）を例に説明する。
【０２３６】
まず、電源がオンになっている電気機器の光量を使用者が身に着けている携帯情報端末である第２の表示装置２０４のセンサ部２１１で測定し、使用者の周囲のトータルの光量を取得する。（ステップＳ１−１）具体的には、トータルの光量は、照明装置２０２から受ける光量と、第１の表示装置からの光量と、その他の光源からの光量と、屋外からの太陽光との合計値となる。センサ部２１１の測定方向によっては、数値がかわるため、使用者が第２の表示装置２０３の位置を決定する。具体的には第１の表示装置を視聴する位置に座って第１の表示装置の表示からの光を測定できる方向にセンサ部２１１を向けて設置する。第２の表示装置２０４がヘッドマウントディスプレイであれば、顔の向きを第１の表示装置に向けることで、第１の表示装置からの光を正確に測定することができる。
【０２３７】
第２の表示装置２０４は、センサ部２１１の他に表示部を含む入出力部２１２と、制御部２１３と、電源部２１５を有する。電源部２１５は二次電池２１４を有する。第２の表示装置２０４に含まれている制御部２１３に設置されたＣＰＵによって、上記取得された光量に基づき、照明輝度の変更の有無を判断する。（ステップＳ１−２）或いは、光量データをクラウドに送信し、取得された光量に基づき、クラウド２０７に分散配置されているうちの一つのサーバーコンピュータＳＶが照明輝度の変更の有無を判断する。なお、センサ部２１１の光量の取得タイミングは、定期的に行う自動であってもよいし、使用者が決定してもよい。
【０２３８】
照明輝度の変更が必要有りと判断された場合には、照明装置の光量を決定する制御信号を作成する。（ステップＳ１−３）照明輝度の変更が必要なければ、光量の測定をし、定期的に有無の判断を繰り返す。制御信号の作成は、第２の表示装置２０４に含まれているＣＰＵ、或いはクラウド２０７に分散配置されているうちの一つのサーバーコンピュータＳＶが行う。
【０２３９】
通信部２０６を介して、照明装置２０２に決定された光量にするための信号を送信する。（ステップＳ１−４）この制御信号に基づき、照明装置２０２の入出力部２０８を介して光量の制御部２０９によって照明装置の光量調整が行われる。なお、通信部２０６と照明装置２０２の入出力部２０８は有線または無線で接続される。
【０２４０】
なお、照明装置の光量をゼロにすることが望ましいと判断された場合には、照明装置の電源をオフ状態とする。図１４の左側に示したフローチャートは、第１の表示装置の電源がオフであった場合でも機能させることができ、第２の表示装置を利用した屋内の照明装置の制御システムを示しているとも言える。
【０２４１】
また、図１４の右側に示したフローチャートは、第１の表示装置の表示画面における局所的な劣化位置を予測し、劣化を緩和する表示データ作成を行う管理システムである。
【０２４２】
第１の表示装置の表示画面に表示されたデータを入出力部２３０から通信部２０６を介してクラウド２０７に送信し、表示データを取得する。（ステップＳ２−１）なお、通信部２０６と第１の表示装置２０３の入出力部２３０は有線または無線で接続される。
【０２４３】
取得され、蓄積された表示データに基づき、クラウド２０７に分散配置されているうちの一つのサーバーコンピュータＳＶが第１の表示装置の表示部の劣化位置を予測する。（ステップＳ２−２）予測する劣化位置は１画素毎に行うことが望ましいが、表示面積を分割し、その領域における劣化予測を行ってもよい。
【０２４４】
そして、蓄積された表示データに基づき、クラウド２０７に分散配置されているうちの一つのサーバーコンピュータＳＶが表示データの変更の有無を判断する。（ステップＳ２−３）
【０２４５】
表示データの変更が必要有りと判断された場合には、第１の表示装置の表示部の劣化を緩和する表示データを作成する。（ステップＳ２−４）表示データの変更が必要なければ、表示データの蓄積を引き続き行い、定期的に有無の判断を繰り返す。表示データの作成は、クラウド２０７に分散配置されているうちの一つまたは複数のサーバーコンピュータＳＶが行う。
【０２４６】
通信部２０６を介して、第１の表示装置に劣化を緩和する表示データを送信する。（ステップＳ２−５）この表示データに基づき、第１の表示装置２０３の入出力部２３０を介して第１の表示装置２０３の表示調整が行われる。
【０２４７】
表示データの作成は、膨大なデータを基に作成されるため、クラウド２０７を用いることが有効である。また、図１４に示すように照明装置と第１の表示装置の両方を互いに考慮しながらそれぞれ照明装置の光量設定と、第１の表示装置の劣化緩和を行うことができる。使用者が第１の表示装置を視聴する場合には、照明装置の光量設定と第１の表示装置の表示は密接な関係があるため、効果的なメリットが生じる。
【０２４８】
また、表示データの変更を必要とされる場合、放送されている映像情報をリアルタイムで第１の表示装置の表示画面に反映することは困難である。従って、第１の表示装置の劣化緩和させる表示モードにするタイミングは、第１の表示装置の記録媒体などに記録されている再生画像である場合に本システムが有効である。
【０２４９】
劣化を緩和する表示データで表示を行う場合、画質が標準と異なってしまうため、使用者が画質を気にしない映像について行うことが好ましい。例えば、コマーシャル映像の間や、ニュース、番組表や、スクリーンセーバー時に自動で行うように設定すればよい。上記システムにより、表示画像の焼き付きなどを低減することができる。
【０２５０】
上記フローチャートではわかり易くするため第１の表示装置２０３及び照明装置２０２を用いて説明したが、図１３に示す第３の表示装置２０５をさらに追加し、新たな表示環境の最適化を行うこともできる。第３の表示装置２０５は、センサ部２２１の他に表示部を含む入出力部２２２と、制御部２２３と、電源部２２５を有する。電源部２２５は二次電池２２４を含む。
【０２５１】
例えば、第１の表示装置に表示のオンオフを映像表示データに合わせて切り替えることで、第１の表示装置の使用時間を短縮し、長持ちさせることができる。第１の表示装置が据え置き型のテレビであり、第２の表示装置がスマートフォンなどの携帯情報端末であり、第３の表示装置がタブレットデバイスである場合、高解像度の映像を使用者が視聴する場合には第１の表示装置を用い、コマーシャル映像表示、ニュース表示、番組表表示などの高解像度の必要がない表示時は、第１の表示装置の表示をオフとし、第３の表示装置で表示させるという切り替えを自動的に行うこともできる。なお、高解像度の映像を第１の表示装置で視聴する場合には照明装置の光量は少なくし、第３の表示装置で表示する場合には、照明装置の光量を多くする。
【０２５２】
特に第１の表示装置が有機ＥＬ表示装置であれば、発光素子を発光させない黒表示とすることで大幅な消費電力の削減とすることができるため有効である。
【０２５３】
また、本実施の形態では、照明装置の光量調整と、表示装置の表示の切り替えとをクラウドを利用して表示装置の管理システムを構成する例を示したが、特に限定されず、クラウドに代えてｗｅｂを介したＡＰＩを用いても表示装置の管理システムを実現できる。
【符号の説明】
【０２５４】
１０    フィルム
１１    絶縁層
１２    配線
１３    絶縁層
１４    導電層
１５    封止層
１６    配線
１７    フィルム
１８    材料層
２０    構造体
２１    矢印
３１    表示領域
６１    脚部
６２    着座部
６３    背もたれ部
６４    表示装置
６５    テーブル
６６    背もたれ部
６７    表示部
７０    ソファ
７１    脚部
７２    着座部
７３    背もたれ部
７４    表示装置
７５    スピーカ
７６    入出力部
７７    入出力部
７８    制御部
７９    通信部
８０    照明装置
８１    窓
８２    電源装置
９０    ソファ
１０１    表示領域
１０１ａ    表示領域
１０１ｂ    表示領域
１０１ｃ    表示領域
１０２    領域
１０２ａ    領域
１０２ｃ    領域
１０３    領域
１０３ａ    領域
１０３ｂ    領域
１０３ｃ    領域
１１０    領域
１１０ａ    領域
１１０ｂ    領域
１１０ｃ    領域
１１２    ＦＰＣ
１１２ａ    ＦＰＣ
１１２ｂ    ＦＰＣ
１１２ｃ    ＦＰＣ
１２０    領域
１２０ａ    領域
１２０ｂ    領域
１２０ｃ    領域
１３１    樹脂層
１３２    保護基板
１６０    表示パネル
１６０ａ    表示パネル
１６０ｂ    表示パネル
１６０ｃ    表示パネル
７１００    携帯表示装置
７１０１    筐体
７１０２    表示部
７１０３    操作ボタン
７１０４    送受信装置
７２００    照明装置
７２０１    台部
７２０２    発光部
７２０３    操作スイッチ
７２１０    照明装置
７２１２    発光部
７２２０    照明装置
７２２２    発光部
７４００    携帯電話機
７４０１    筐体
７４０２    表示部
７４０３    操作ボタン
７４０４    外部接続ポート
７４０５    スピーカ
７４０６    マイク
９７００    自動車
９７０１    車体
９７０２    車輪
９７０３    ダッシュボード
９７０４    ライト
９７１０    表示部
９７１１    表示部
９７１２    表示部
９７１３    表示部
９７１４    表示部
９７１５    表示部
９７２１    表示部
９７２２    表示部
９７２３    表示部
【図１】
2017138570.tif 000003
【図２】
2017138570.tif 000004
【図３】
2017138570.tif 000005
【図４】
2017138570.tif 000006
【図５】
2017138570.tif 000007
【図６】
2017138570.tif 000008
【図７】
2017138570.tif 000009
【図８】
2017138570.tif 000010
【図９】
2017138570.tif 000011
【図１０】
2017138570.tif 000012
【図１１】
2017138570.tif 000013
【図１２】
2017138570.tif 000014
【図１３】
2017138570.tif 000015
【図１４】
2017138570.tif 000016
【図１５】
2017138570.tif 000017
【図１６】
2017138570.tif 000018